(57)【要約】  ある特定の実施形態において、非ハロゲン化難燃性ポリオレフィン物品が開示される。本物品は、添加剤が中に含有されたポリオレフィン基材を含む。【特許請求の範囲】
【請求項１】
添加剤が中に組み込まれたポリオレフィン基材を含む難燃性物品であって、前記添加剤が、
ホスホン酸エステル、リン酸エステル、またはそれらの組み合わせを含む有機リン化合物と、
Ｎ−アルコキシヒンダードアミンを含む相乗剤と、
を含み、
前記物品が、１２５ミルの射出成形棒の形態である場合に、ＵＬ−９４垂直燃焼（ＶＢ）試験からの前記物品の性能評定がＶ−０である、前記難燃性物品。
【請求項２】
前記ポリオレフィン基材が、ポリプロピレン、ポリエチレン、及びそれらのコポリマーまたは混合物からなる群から選択されるポリマーを含む、請求項１に記載の物品。
【請求項３】
前記ポリオレフィンが、その中に組み込まれた１つ以上の追加のポリマーを有し、前記１つ以上の追加のポリマーが、ポリスチレン、ポリアミド、ポリエステル、ポリカーボネート、エポキシ樹脂、ポリウレタン、またはそれらのコポリマーもしくは混合物を含む、請求項２に記載の物品。
【請求項４】
前記有機リン化合物が、以下の式を有するホスホン酸エステルであり、
【化１】
2018520255.tif 000075
式中、Ｒ１及びＲ２が独立して、アルキル、任意に置換されたアルキル、ベンジル、任意に置換されたベンジル、フェニル、任意に置換されたフェニル、ナフチル、及び任意に置換されたナフチルからなる群から選択される、請求項１に記載の物品。
【請求項５】
Ｒ１及びＲ２の両方がメチルである、請求項４に記載の物品。
【請求項６】
前記有機リン化合物が、以下の式を有するリン酸エステルである、
【化２】
2018520255.tif 000076
請求項１に記載の物品。
【請求項７】
前記有機リン化合物が、以下の式を有するホスホン酸エステルである、
【化３】
2018520255.tif 000077
請求項１に記載の物品。
【請求項８】
前記有機リン化合物が、以下の式を有するホスホン酸エステルである、
【化４】
2018520255.tif 000078
請求項１に記載の物品。
【請求項９】
前記有機リン化合物が、以下の式を有するリン酸エステルであり、
【化５】
2018520255.tif 000079
式中、ｎが１〜７の整数である、請求項１に記載の物品。
【請求項１０】
前記有機リン化合物が、以下の式を有するリン酸エステルであり、
【化６】
2018520255.tif 000080
式中、ｎが１または２である、請求項１に記載の物品。
【請求項１１】
前記有機リン化合物が、以下の式を有するリン酸エステルであり、
【化７】
2018520255.tif 000081
式中、Ｘが二価アリーレンであり、ｎが１または２である、請求項１に記載の物品。
【請求項１２】
前記有機リン化合物が、以下の式を有するリン酸エステルである、
【化８】
2018520255.tif 000082
請求項１に記載の物品。
【請求項１３】
前記有機リン化合物が、約１重量％〜約１０重量％の量で存在する、請求項１に記載の物品。
【請求項１４】
前記Ｎ−アルコキシヒンダードアミンが、Ｎ−シクロヘキシルオキシヒンダードアミン、Ｎ−プロポキシヒンダードアミン、Ｎ−メトキシヒンダードアミン、またはＮ−（２−メチル−２−ヒドロキシプロポキシ）ヒンダードアミンである、請求項１に記載の物品。
【請求項１５】
前記Ｎ−アルコキシヒンダードアミンが、以下の式： 
【化９】
2018520255.tif 000083
（式中、Ｘが以下の式を有し、
【化１０】
2018520255.tif 000084
Ｙが−（ＣＨ２）６−であり、少なくとも１つのＲがアルコキシを含み、ｎが１〜５の整数である）
を有する、請求項１に記載の物品。
【請求項１６】
各Ｒが−ＯＣ３Ｈ７である、請求項１５に記載の物品。
【請求項１７】
前記Ｎ−アルコキシヒンダードアミンが、以下の式を有し、
【化１１】
2018520255.tif 000085
式中、Ｒが以下の式を有する、
【化１２】
2018520255.tif 000086
請求項１に記載の物品。
【請求項１８】
前記Ｎ−アルコキシヒンダードアミンが、以下の式を有する、
【化１３】
2018520255.tif 000087
請求項１に記載の物品。
【請求項１９】
前記Ｎ−アルコキシヒンダードアミンが、以下の式の部分を含有する、
【化１４】
2018520255.tif 000088
請求項１に記載の物品。
【請求項２０】
前記Ｎ−アルコキシヒンダードアミンが、約０．１重量％〜約３重量％の量で存在する、請求項１に記載の物品。
【請求項２１】
前記添加剤が、
抗酸化剤と、
酸捕捉剤と、
を更に含む、請求項１に記載の物品。
【請求項２２】
前記抗酸化剤が、
以下の式を有する第１の化合物と、
【化１５】
2018520255.tif 000089
以下の式を有する第２の化合物と、
【化１６】
2018520255.tif 000090
を含む、請求項２１に記載の物品。
【請求項２３】
前記第１及び第２の化合物が、約０．０１重量％〜約０．２重量％の量で共に存在する、請求項２２に記載の物品。
【請求項２４】
前記酸捕捉剤が、ステアリン酸亜鉛である、請求項２１に記載の物品。
【請求項２５】
前記ステアリン酸亜鉛が、約０．１重量％〜約２重量％の量で存在する、請求項２４に記載の物品。
【請求項２６】
前記物品が、シャッター、屋根板、建築装飾、下端、屋根カバー、床タイル、シート床、裏材、ドア、ドア枠、窓枠、及びサイディングパネルからなる群から選択される建築材料である、請求項１に記載の物品。
【請求項２７】
前記建築材料が、射出成形または押出プロセスに従って製造されたものである、請求項２６に記載の物品。
【請求項２８】
前記物品の最小物理寸法が、１ｍｍより大きい、請求項１に記載の物品。
【請求項２９】
前記物品の最小物理寸法が、１．５ｍｍより大きい、請求項１に記載の物品。
【請求項３０】
前記物品の最小物理寸法が、３ｍｍより大きい、請求項１に記載の物品。
【請求項３１】
添加剤が中に組み込まれたポリオレフィン基材を含む難燃性物品であって、前記添加剤が、
ホスホン酸エステル、リン酸エステル、またはそれらの組み合わせを含む有機リン化合物と、
Ｎ−アルコキシヒンダードアミンを含む相乗剤と、
を含み、
前記物品が、建築材料である、前記難燃性物品。
【請求項３２】
前記建築材料が、シャッター、屋根板、建築装飾、下端、屋根カバー、床タイル、シート床、裏材、ドア、ドア枠、窓枠、及びサイディングパネルからなる群から選択される建築材料である、請求項３１に記載の物品。
【請求項３３】
前記建築材料が、射出成形または押出プロセスに従って製造されたものである、請求項３１に記載の物品。
【請求項３４】
前記物品の最小物理寸法が、１ｍｍより大きい、請求項３１に記載の物品。
【請求項３５】
前記物品の最小物理寸法が、１．５ｍｍより大きい、請求項３１に記載の物品。
【請求項３６】
前記物品の最小物理寸法が、３ｍｍより大きい、請求項３１に記載の物品。
【請求項３７】
ＵＬ−９４垂直燃焼（ＶＢ）試験からの前記物品の性能評定が、Ｖ−０である、請求項３１に記載の物品。
【請求項３８】
前記ポリオレフィン基材が、ポリプロピレン、ポリエチレン、及びそれらのコポリマーまたは混合物からなる群から選択されるポリマーを含む、請求項３１に記載の物品。
【請求項３９】
前記ポリオレフィンが、その中に組み込まれた１つ以上の追加のポリマーを有し、前記１つ以上の追加のポリマーが、ポリスチレン、ポリアミド、ポリエステル、ポリカーボネート、エポキシ樹脂、ポリウレタン、またはそれらのコポリマーもしくは混合物を含む、請求項３８に記載の物品。
【請求項４０】
前記有機リン化合物が、以下の式を有するホスホン酸エステルであり、
【化１７】
2018520255.tif 000091
式中、Ｒ１及びＲ２が独立して、アルキル、任意に置換されたアルキル、ベンジル、任意に置換されたベンジル、フェニル、任意に置換されたフェニル、ナフチル、及び任意に置換されたナフチルからなる群から選択される、請求項３１に記載の物品。
【請求項４１】
Ｒ１及びＲ２の両方がメチルである、請求項４０に記載の物品。
【請求項４２】
前記有機リン化合物が、以下の式を有するリン酸エステルである、
【化１８】
2018520255.tif 000092
請求項３１に記載の物品。
【請求項４３】
前記有機リン化合物が、以下の式を有するホスホン酸エステルである、
【化１９】
2018520255.tif 000093
請求項３１に記載の物品。
【請求項４４】
前記有機リン化合物が、以下の式を有するホスホン酸エステルである、
【化２０】
2018520255.tif 000094
請求項３１に記載の物品。
【請求項４５】
前記有機リン化合物が、以下の式を有するリン酸エステルであり、
【化２１】
2018520255.tif 000095
式中、ｎが１〜７の整数である、請求項３１に記載の物品。
【請求項４６】
前記有機リン化合物が、以下の式を有するリン酸エステルであり、
【化２２】
2018520255.tif 000096
式中、ｎが１または２である、請求項３１に記載の物品。
【請求項４７】
前記有機リン化合物が、以下の式を有するリン酸エステルであり、
【化２３】
2018520255.tif 000097
式中、Ｘが二価アリーレンであり、ｎが１または２である、請求項３１に記載の物品。
【請求項４８】
前記有機リン化合物が、以下の式を有するリン酸エステルである、
【化２４】
2018520255.tif 000098
請求項３１に記載の物品。
【請求項４９】
前記有機リン化合物が、約１重量％〜約１０重量％の量で存在する、請求項３１に記載の物品。
【請求項５０】
前記Ｎ−アルコキシヒンダードアミンが、Ｎ−シクロヘキシルオキシヒンダードアミン、Ｎ−プロポキシヒンダードアミン、Ｎ−メトキシヒンダードアミン、またはＮ−（２−メチル−２−ヒドロキシプロポキシ）ヒンダードアミンである、請求項３１に記載の物品。
【請求項５１】
前記Ｎ−アルコキシヒンダードアミンが、以下の式： 
【化２５】
2018520255.tif 000099
（式中、Ｘが以下の式を有し、
【化２６】
2018520255.tif 000100
Ｙが−（ＣＨ２）６−であり、少なくとも１つのＲがアルコキシを含み、ｎが１〜５の整数である）
を有する、請求項３１に記載の物品。
【請求項５２】
各Ｒが−ＯＣ３Ｈ７である、請求項５１に記載の物品。
【請求項５３】
前記Ｎ−アルコキシヒンダードアミンが、以下の式を有し、
【化２７】
2018520255.tif 000101
式中、Ｒが、以下の式を有する、
【化２８】
2018520255.tif 000102
請求項３１に記載の物品。
【請求項５４】
前記Ｎ−アルコキシヒンダードアミンが、以下の式を有する、
【化２９】
2018520255.tif 000103
請求項３１に記載の物品。
【請求項５５】
前記Ｎ−アルコキシヒンダードアミンが、以下の式の部分を含有する、
【化３０】
2018520255.tif 000104
請求項３１に記載の物品。
【請求項５６】
前記Ｎ−アルコキシヒンダードアミンが、約０．１重量％〜約３重量％の量で存在する、請求項３１に記載の物品。
【請求項５７】
前記添加剤が、
抗酸化剤と、
酸捕捉剤と、を更に含む、請求項３１に記載の物品。
【請求項５８】
前記抗酸化剤が、
以下の式を有する第１の化合物と、
【化３１】
2018520255.tif 000105
以下の式を有する第２の化合物と、
【化３２】
2018520255.tif 000106
を含む、請求項５７に記載の物品。
【請求項５９】
前記第１及び第２の化合物が、約０．０１重量％〜約０．２重量％の量で共に存在する、請求項５８に記載の物品。
【請求項６０】
前記酸捕捉剤が、ステアリン酸亜鉛である、請求項５７に記載の物品。
【請求項６１】
前記ステアリン酸亜鉛が、約０．１重量％〜約２重量％の量で存在する、請求項５７に記載の物品。
【請求項６２】
難燃性組成物であって、
ポリオレフィンと、
以下の式を有するホスホン酸エステルであって、
【化３３】
2018520255.tif 000107
式中、Ｒ１及びＲ２が独立して、アルキル、任意に置換されたアルキル、ベンジル、任意に置換されたベンジル、フェニル、任意に置換されたフェニル、ナフチル、及び任意に置換されたナフチルからなる群から選択され、１重量％〜１０重量％の量で存在する、ホスホン酸エステルと、
【化３４】
2018520255.tif 000108
または
【化３５】
2018520255.tif 000109
から選択される式を有する相乗剤であって、式中、ｎが１〜１５の整数であり、０．１重量％〜３重量％の量で存在する、相乗剤と、
抗酸化剤と、
酸捕捉剤と、
を含む、前記難燃性組成物。
【請求項６３】
前記ポリオレフィン基材が、ポリプロピレン、ポリエチレン、及びそれらのコポリマーまたは混合物からなる群から選択されるポリマーを含む、請求項６２に記載の組成物。
【請求項６４】
前記ポリオレフィンが、その中に組み込まれた１つ以上の追加のポリマーを有し、前記１つ以上の追加のポリマーが、ポリスチレン、ポリアミド、ポリエステル、ポリカーボネート、エポキシ樹脂、ポリウレタン、またはそれらのコポリマーもしくは混合物を含む、請求項６３に記載の物品。
【請求項６５】
前記ホスホン酸エステルが、約３重量％〜約６重量％の量で存在する、請求項６２に記載の組成物。
【請求項６６】
前記相乗剤が、約０．２重量％〜約１重量％の量で存在する、請求項６２に記載の組成物。
【請求項６７】
前記相乗剤が、約０．２重量％〜約０．５重量％の量で存在する、請求項６２に記載の組成物。
【請求項６８】
前記酸捕捉剤がステアリン酸亜鉛を含み、前記ステアリン酸亜鉛が約０．１重量％〜約２重量％の量で存在する、請求項６２に記載の組成物。
【請求項６９】
前記抗酸化剤が、
以下の式を有する第１の化合物と、
【化３６】
2018520255.tif 000110
以下の式を有する第２の化合物と、
【化３７】
2018520255.tif 000111
を含み、
前記第１及び第２の化合物が約０．０１重量％〜約０．２重量％の量で共に存在する、請求項６２に記載の組成物。
【請求項７０】
前記組成物のＵＬ−９４垂直燃焼（ＶＢ）試験が、前記組成物を含む１２５ミルの射出成形棒に関してＶ−０である、請求項６２に記載の組成物。
【発明の詳細な説明】
【技術分野】
【０００１】
関連出願の相互参照
本出願は、２０１５年７月２０日に出願された米国仮出願第６２／１９４５０３号の優先権を主張し、この内容が参照によりその全体が本開示に組み込まれる。
【０００２】
技術分野
本発明は、難燃性材料に関し、より具体的には難燃性ポリオレフィン系に関する。
【背景技術】
【０００３】
難燃性ポリオレフィン系は、様々な添加剤を組み込むポリオレフィン基材を用いる。厚いポリプロピレン物品を生成するための系は、典型的に補強充填剤を用いる。しかしながら、これらの系は、ＵＬ９４垂直燃焼（「ＶＢ」）試験により決定して、最良でも軽度の難燃性を提供するだけであり、高い充填剤負荷に起因して物品の機械的特性に悪影響を及ぼし得る。
【０００４】
ハロゲン化難燃剤系は、ポリプロピレンと併せて使用されてきたが、これらの系は典型的に、多くの場合に微量のヒ素を含有する、酸化アンチモン等の相乗剤を必要とする。いくつかのハロゲン化芳香族難燃剤は、太陽放射に不安定であり、これが変色につながり得る。更に、ハロゲン化難燃剤は、多くの場合に高負荷（例えば、１０重量％超）で使用されなければならず、これが高価であり、製造物品の機械的特性を損なう場合がある。
【０００５】
ポリリン酸アンモニウム等の有機塩、マグネシウム二水酸化物またはアルミニウム三水和物等の無機ミネラルもまた、難燃性ポリオレフィン系において使用されてきた。火炎温度で、そのような材料は、アンモニアまたは水蒸気等のオフガスを生成すると仮定され、これがポリマー−火炎界面近くの酸素含有量を希釈する。しかしながら、これらの材料は、多くの場合、極めて高レベル（３０重量％〜６０重量％）で使用され、望ましくない外観ならびにポリマー引張及び衝撃特性に悪影響をもたらす。
【０００６】
重金属及びハロゲン種を含まないか、または実質的に含まない、厚いポリプロピレン物品のための有効な難燃剤系を製剤化することが望ましい。更に、そのような系が、様々な適用に必要とされるレベルの光安定性、加工安定性、難燃性、及び機械的特性を満たすか、または超えることが望ましい。
【０００７】
発明の概要
本発明のある特定の実施形態は、添加剤が中に組み込まれたポリオレフィン基材であって、該添加剤が、ホスホン酸エステル、リン酸エステル、またはそれらの組み合わせを含む有機リン化合物を含むポリオレフィン基材と、Ｎ−アルコキシヒンダードアミンを含む相乗剤と、を有する難燃性物品を対象とする。ＵＬ−９４垂直燃焼（ＶＢ）試験からの物品の性能評定は、該物品が１２５ミルの射出成形棒の形態である場合、Ｖ−０評定を達成する。
【０００８】
ある特定の実施形態は、添加剤が中に組み込まれたポリオレフィン基材であって、該添加剤が、ホスホン酸エステル、リン酸エステル、またはそれらの組み合わせを含む有機リン化合物を含むポリオレフィン基材と、Ｎ−アルコキシヒンダードアミンを含む相乗剤と、を有する難燃性物品を対象とする。ある特定の実施形態において、難燃性物品は、建築材料である。
【０００９】
ある特定の実施形態は、難燃性組成物を対象とし、該組成物が、ポリオレフィン、以下の式を有するホスホン酸エステルであって、
【化１】
2018520255.tif 000002
式中、変数が、本明細書に開示される、ホスホン酸エステルと、以下の式を有する相乗剤であって、
【化２】
2018520255.tif 000003
または
【化３】
2018520255.tif 000004
式中、ｎが、１〜１５の整数であり、約０．１重量％〜約３重量％の量で存在する、相乗剤と、抗酸化剤と、酸捕捉剤とを含む。
【００１０】
本開示の目的のために、「アルキル」という用語は、単独でまたは別の基の一部として使用される場合、１〜１２個の炭素原子（すなわち、Ｃ１〜１２アルキル）または指定された数の炭素原子（すなわち、メチル等のＣ１アルキル、エチル等のＣ２アルキル、プロピルまたはイソプロピル等のＣ３アルキル等）を含有する、直鎖または分岐鎖脂肪族炭化水素を指す。一実施形態において、アルキル基は、直鎖Ｃ１〜１０アルキル基から選択される。別の実施形態において、アルキル基は、分岐鎖Ｃ１〜１０アルキル基から選択される。別の実施形態において、アルキル基は、直鎖Ｃ１〜６アルキル基から選択される。別の実施形態において、アルキル基は、分岐鎖Ｃ１〜６アルキル基から選択される。別の実施形態において、アルキル基は、直鎖Ｃ１〜４アルキル基から選択される。別の実施形態において、アルキル基は、分岐鎖Ｃ１〜４アルキル基から選択される。別の実施形態において、アルキル基は、直鎖または分岐鎖Ｃ２〜４アルキル基から選択される。非限定の例示的なＣ１〜１０アルキル基には、メチル、エチル、プロピル、イソプロピル、ブチル−ｓｅｃ−ブチル−ｔｅｒｔ−ブチル、イソ−ブチル、３−ペンチル、ヘキシル、ヘプチル、オクチル、ノニル、デシル等が含まれる。非限定の例示的なＣ１〜４アルキル基には、メチル、エチル、プロピル、イソプロピル、ブチル、ｓｅｃ−ブチル、ｔｅｒｔ−ブチル、及びイソ−ブチルが含まれる。
【００１１】
本開示の目的のために、「任意に置換されたアルキル」という用語は、単独でまたは別の基の一部として使用される場合、上に定義されるアルキルが、非置換であるか、またはニトロ、ハロアルコキシ、アリールオキシ、アラルキルオキシ、アルキルチオ、スルホンアミド、アルキルカルボニル、アリールカルボニル、アルキルスルホニル、アリールスルホニル、ウレイド、グアニジノ、カルボキシ、カルボキシアルキル、シクロアルキル等から独立して選択される１つ、２つ、もしくは３つの置換基で置換されているかのいずれかを意味する。一実施形態において、任意に置換されたアルキルは、２つの置換基で置換されている。別の実施形態において、任意に置換されたアルキルは、１つの置換基で置換されている。非限定の例示的な任意に置換されたアルキル基には、−ＣＨ２ＣＨ２ＮＯ２、−ＣＨ２ＣＨ２ＣＯ２Ｈ、−ＣＨ２ＣＨ２ＳＯ２ＣＨ３、−ＣＨ２ＣＨ２ＣＯＰｈ、−ＣＨ２Ｃ６Ｈ１１等が含まれる。
【００１２】
本開示の目的のために、「アルコキシ」という用語は、単独でまたは別の基の一部として使用される場合、任意に置換されたアルキル、任意に置換されたシクロアルキル、任意に置換されたアルケニル、任意に置換されたシクロアルケニル、任意に置換されたアルキニル、または末端酸素原子に結合した任意に置換されたアルキニルを指す。一実施形態において、アルコキシ基は、Ｃ１〜４アルコキシ基から選択される。別の実施形態において、アルコキシ基は、末端酸素原子に結合したＣ１〜４アルキル、例えば、メトキシ、エトキシ、及びｔｅｒｔ−ブトキシから選択される。アルコキシ基は、シクロアルコキシ、シクロヘキシルオキシ、メトキシ、プロポキシ、または２−メチル−２−ヒドロキシプロポキシ等の基を含んでもよい。
【００１３】
本開示の目的のために、「アルケニル」という用語は、単独でまたは別の基の一部として使用される場合、１つ、２つ、または３つの炭素−炭素二重結合を含有する、上に定義されるアルキル基を指す。一実施形態において、アルケニル基は、Ｃ２〜６アルケニル基から選択される。別の実施形態において、アルケニル基は、Ｃ２〜４アルケニル基から選択される。非限定の例示的なアルケニル基には、エテニル、プロペニル、イソプロペニル、ブテニル、ｓｅｃ−ブテニル、ペンテニル、及びヘキセニルが含まれる。
【００１４】
本開示の目的のために、「任意に置換されたアルケニル」という用語は、単独でまたは別の基の一部として使用される場合、上に定義されるアルケニルが、非置換であるか、またはハロ、ニトロ、シアノ、ヒドロキシ、アミノ、アルキルアミノ、ジアルキルアミノ、ハロアルキル、ヒドロキシアルキル、アルコキシ、ハロアルコキシ、アリールオキシ、アラルキルオキシ、アルキルチオ、カルボキシアミド、スルホンアミド、アルキルカルボニル、アリールカルボニル、アルキルスルホニル、アリールスルホニル、ウレイド、グアニジノ、カルボキシ、カルボキシアルキル、アルキル、シクロアルキル、アルケニル、アルキニル、アリール、ヘテロアリール、またはヘテロシクロから独立して選択される１つ、２つ、もしくは３つの置換基で置換されているかのいずれかを意味する。
【００１５】
本開示の目的のために、「アルキニル」という用語は、単独でまたは別の基の一部として使用される場合、１〜３つの炭素−炭素三重結合を含有する、上に定義されるアルキル基を指す。一実施形態において、アルキニルは、１つの炭素−炭素三重結合を有する。一実施形態において、アルキニル基は、Ｃ２〜６アルキニル基から選択される。別の実施形態において、アルキニル基は、Ｃ２〜４アルキニル基から選択される。非限定の例示的なアルキニル基には、エチニル、プロピニル、ブチニル、２−ブチニル、ペンチニル、及びヘキシニル基が含まれる。
【００１６】
本開示の目的のために、「任意に置換されたアルキニル」という用語は、単独でまたは別の基の一部として使用される場合、上に定義されるアルキニルが、非置換であるか、またはハロ、ニトロ、シアノ、ヒドロキシ、アミノ、アルキルアミノ、ジアルキルアミノ、ハロアルキル、ヒドロキシアルキル、アルコキシ、ハロアルコキシ、アリールオキシ、アラルキルオキシ、アルキルチオ、カルボキシアミド、スルホンアミド、アルキルカルボニル、アリールカルボニル、アルキルスルホニル、アリールスルホニル、ウレイド、グアニジノ、カルボキシ、カルボキシアルキル、アルキル、シクロアルキル、アルケニル、アルキニル、アリール、ヘテロアリール、またはヘテロシクロから独立して選択される１つ、２つ、もしくは３つの置換基で置換されているかのいずれかを意味する。
【００１７】
本開示の目的のために、「シクロアルキル」という用語は、単独でまたは別の基の一部として使用される場合、３〜１２個の炭素原子（すなわち、Ｃ３〜１２シクロアルキル）または指定された数の炭素を有する１〜３つの環を含有する、飽和及び部分的に不飽和の（１つもしくは２つの二重結合を含有する）環式脂肪族炭化水素を指す。一実施形態において、シクロアルキル基は、２つの環を有する。一実施形態において、シクロアルキル基は、１つの環を有する。別の実施形態において、シクロアルキル基は、Ｃ３〜８シクロアルキル基から選択される。別の実施形態において、シクロアルキル基は、Ｃ３〜６シクロアルキル基から選択される。非限定の例示的なシクロアルキル基には、シクロプロピル、シクロブチル、シクロペンチル、シクロヘキシル、シクロヘプチル、シクロオクチル、ノルボルニル、デカリン、アダマンチル、シクロヘキセニル等が含まれる。
【００１８】
本開示の目的のために、「任意に置換されたシクロアルキル」という用語は、単独でまたは別の基の一部として使用される場合、上に定義されるシクロアルキルが、非置換であるか、またはハロ、ニトロ、シアノ、ヒドロキシ、アミノ、アルキルアミノ、ジアルキルアミノ、ハロアルキル、ヒドロキシアルキル、アルコキシ、ハロアルコキシ、アリールオキシ、アラルキルオキシ、アルキルチオ、カルボキシアミド、スルホンアミド、アルキルカルボニル、アリールカルボニル、アルキルスルホニル、アリールスルホニル、ウレイド、グアニジノ、カルボキシ、カルボキシアルキル、アルキル、シクロアルキル、アルケニル、アルキニル、アリール、ヘテロアリール、ヘテロシクロ、アルコキシアルキル、（アミノ）アルキル、ヒドロキシアルキルアミノ、（アルキルアミノ）アルキル、（ジアルキルアミノ）アルキル、（シアノ）アルキル、（カルボキシアミド）アルキル、メルカプトアルキル、（ヘテロシクロ）アルキル、及び（ヘテロアリール）アルキルから独立して選択される１つ、２つ、もしくは３つの置換基で置換されているかのいずれかを意味する。一実施形態において、任意に置換されたシクロアルキルは、２つの置換基で置換される。別の実施形態において、任意に置換されたシクロアルキルは、１つの置換基で置換される。非限定の例示的な任意に置換されたシクロアルキル基には、
【化４】
2018520255.tif 000005
、
【化５】
2018520255.tif 000006
、及び
【化６】
2018520255.tif 000007
が含まれる。
【００１９】
本開示の目的のために、「シクロアルケニル」という用語は、単独でまたは別の基の一部として使用される場合、上に定義される部分的に不飽和のシクロアルキル基を指す。一実施形態において、シクロアルケニルは、１つの炭素−炭素二重結合を有する。別の実施形態において、シクロアルケニル基は、Ｃ４〜８シクロアルケニル基から選択される。例示的なシクロアルケニル基には、シクロペンテニル、シクロヘキセニル等が含まれる。
【００２０】
本開示の目的のために、「任意に置換されたシクロアルケニル」という用語は、単独でまたは別の基の一部として使用される場合、上に定義されるシクロアルケニルが、非置換であるか、またはハロ、ニトロ、シアノ、ヒドロキシ、アミノ、アルキルアミノ、ジアルキルアミノ、ハロアルキル、モノヒドロキシアルキル、ジヒドロキシアルキル、アルコキシ、ハロアルコキシ、アリールオキシ、アラルキルオキシ、アルキルチオ、カルボキシアミド、スルホンアミド、アルキルカルボニル、アリールカルボニル、アルキルスルホニル、アリールスルホニル、ウレイド、グアニジノ、カルボキシ、カルボキシアルキル、アルキル、シクロアルキル、アルケニル、アルキニル、アリール、ヘテロアリール、ヘテロシクロ、アルコキシアルキル、（アミノ）アルキル、ヒドロキシアルキルアミノ、（アルキルアミノ）アルキル、（ジアルキルアミノ）アルキル、（シアノ）アルキル、（カルボキシアミド）アルキル、メルカプトアルキル、（ヘテロシクロ）アルキル、及び（ヘテロアリール）アルキルから独立して選択される１つ、２つ、もしくは３つの置換基で置換されているかのいずれかを意味する。一実施形態において、任意に置換されたシクロアルケニルは、２つの置換基で置換されている。別の実施形態において、任意に置換されたシクロアルケニルは、１つの置換基で置換されている。別の実施形態において、シクロアルケニルは、非置換である。
【００２１】
本開示の目的のために、「ハロアルキル」という用語は、単独でまたは別の基の一部として使用される場合、１つ以上のフッ素、塩素、臭素、及び／またはヨウ素原子によって置換されたアルキル基を指す。一実施形態において、アルキル基は、１つ、２つ、または３つのフッ素及び／または塩素原子によって置換されている。別の実施形態において、ハロアルキル基は、Ｃ１〜４ハロアルキル基から選択される。非限定の例示的なハロアルキル基には、フルオロメチル、ジフルオロメチル、トリフルオロメチル、ペンタフルオロエチル、１，１−ジフルオロエチル、２，２−ジフルオロエチル、２，２，２−トリフルオロエチル、３，３，３−トリフルオロプロピル、４，４，４−トリフルオロブチル、及びトリクロロメチル基が含まれる。
【００２２】
本開示の目的のために、「ヒドロキシアルキル」という用語は、単独でまたは別の基の一部として使用される場合、１つ以上、例えば、１つ、２つ、または３つのヒドロキシ基で置換されたアルキル基を指す。一実施形態において、ヒドロキシアルキル基は、モノヒドロキシアルキル基であり、すなわち、１つのヒドロキシ基で置換されている。別の実施形態において、ヒドロキシアルキル基は、ジヒドロキシアルキル基であり、すなわち、２つのヒドロキシ基で置換されている。別の実施形態において、ヒドロキシアルキル基は、Ｃ１〜４ヒドロキシアルキル基から選択される。非限定の例示的なヒドロキシアルキル基には、ヒドロキシメチル、ヒドロキシエチル、ヒドロキシプロピル、及びヒドロキシブチル基、例えば、１−ヒドロキシエチル、２−ヒドロキシエチル、１，２−ジヒドロキシエチル、２−ヒドロキシプロピル、３−ヒドロキシプロピル、３−ヒドロキシブチル、４−ヒドロキシブチル、２−ヒドロキシ−１−メチルプロピル、及び１，３−ジヒドロキシプロプ−２−イルが含まれる。
【００２３】
本開示の目的のために、「アルコキシアルキル」という用語は、単独でまたは別の基の一部として使用される場合、アルコキシ基で置換されたアルキル基を指す。非限定の例示的なアルコキシアルキル基には、メトキシメチル、メトキシエチル、メトキシプロピル、メトキシブチル、エトキシメチル、エトキシエチル、エトキシプロピル、エトキシブチル、プロポキシメチル、イソ−プロポキシメチル、プロポキシエチル、プロポキシプロピル、ブトキシメチル、ｔｅｒｔ−ブトキシメチル、イソブトキシメチル、ｓｅｃ−ブトキシメチル、及びペンチルオキシメチルが含まれる。
【００２４】
本開示の目的のために、「ハロアルコキシ」という用語は、単独でまたは別の基の一部として使用される場合、末端酸素原子に結合したハロアルキルを指す。非限定の例示的なハロアルコキシ基には、フルオロメトキシ、ジフルオロメトキシ、トリフルオロメトキシ、及び２，２，２−トリフルオロエトキシが含まれる。
【００２５】
本開示の目的のために、「アリール」という用語は、単独でまたは別の基の一部として使用される場合、６〜１４個の炭素原子を有する（すなわち、Ｃ６〜１４アリール）、単環式または二環式芳香族環系を指す。非限定の例示的なアリール基には、フェニル（「Ｐｈ」と省略される）、ナフチル、フェナントリル、アントラシル、インデニル、アズレニル、ビフェニル、ビフェニレニル、及びフルオレニル基が含まれる。一実施形態において、アリール基は、フェニルまたはナフチルから選択される。
【００２６】
本開示の目的のために、「任意に置換されたアリール」という用語は、単独でまたは別の基の一部として使用される場合、上に定義されるアリールが、非置換であるか、またはハロ、ニトロ、シアノ、ヒドロキシ、アミノ、アルキルアミノ、ジアルキルアミノ、ハロアルキル、ヒドロキシアルキル、アルコキシ、ハロアルコキシ、アリールオキシ、アラルキルオキシ、アルキルチオ、カルボキシアミド、スルホンアミド、アルキルカルボニル、アリールカルボニル、アルキルスルホニル、アリールスルホニル、ウレイド、グアニジノ、カルボキシ、カルボキシアルキル、アルキル、シクロアルキル、アルケニル、アルキニル、アリール、ヘテロアリール、ヘテロシクロ、アルコキシアルキル、（アミノ）アルキル、ヒドロキシアルキルアミノ、（アルキルアミノ）アルキル、（ジアルキルアミノ）アルキル、（シアノ）アルキル、（カルボキシアミド）アルキル、メルカプトアルキル、（ヘテロシクロ）アルキル、または（ヘテロアリール）アルキルから独立して選択される１〜５つの置換基で置換されているかのいずれかを意味する。一実施形態において、任意に置換されたアリールは、任意に置換されたフェニルである。一実施形態において、任意に置換されたフェニルは、４つの置換基を有する。別の実施形態において、任意に置換されたフェニルは、３つの置換基を有する。別の実施形態において、任意に置換されたフェニルは、２つの置換基を有する。別の実施形態において、任意に置換されたフェニルは、１つの置換基を有する。非限定の例示的な置換アリール基には、２−メチルフェニル、２−メトキシフェニル、２−フルオロフェニル、２−クロロフェニル、２−ブロモフェニル、３−メチルフェニル、３−メトキシフェニル、３−フルオロフェニル、３−クロロフェニル、４−メチルフェニル、４−エチルフェニル、４−メトキシフェニル、４−フルオロフェニル、４−クロロフェニル、２，６−ジ−フルオロフェニル、２，６−ジ−クロロフェニル、２−メチル、３−メトキシフェニル、２−エチル、３−メトキシフェニル、３，４−ジ−メトキシフェニル、３，５−ジ−フルオロフェニル３，５−ジ−メチルフェニル、３，５−ジメトキシ、４−メチルフェニル、２−フルオロ−３−クロロフェニル、及び３−クロロ−４−フルオロフェニルが含まれる。任意に置換されたアリールという用語は、縮合された任意に置換されたシクロアルキル環、及び縮合された任意に置換されたヘテロシクロ環を有する基を含むことを意味する。例には、
【化７】
2018520255.tif 000008
が含まれる。
【００２７】
本開示の目的のために、「アリールオキシ」という用語は、単独でまたは別の基の一部として使用される場合、末端酸素原子に結合した任意に置換されたアリールを指す。非限定の例示的なアリールオキシ基は、ＰｈＯ−である。
【００２８】
本開示の目的のために、「アラルキルオキシ」という用語は、単独でまたは別の基の一部として使用される場合、末端酸素原子に結合したアラルキル基を指す。非限定の例示的なアラルキルオキシ基は、ＰｈＣＨ２Ｏ−である。
【００２９】
本開示の目的のために、「ヘテロアリール」という用語は、５〜１４個の環原子（すなわち、Ｃ５〜１４ヘテロアリール）、ならびに酸素、窒素、及び硫黄から独立して選択される１、２、３、または４個のヘテロ原子を有する単環式及び二環式芳香族環系を指す。一実施形態において、ヘテロアリールは、３個のヘテロ原子を有する。別の実施形態において、ヘテロアリールは、２個のヘテロ原子を有する。別の実施形態において、ヘテロアリールは、１個のヘテロ原子を有する。一実施形態において、ヘテロアリールは、Ｃ５ヘテロアリールである。別の実施形態において、ヘテロアリールは、Ｃ６ヘテロアリールである。非限定の例示的なヘテロアリール基には、チエニル、ベンゾ［ｂ］チエニル、ナフト［２，３−ｂ］チエニル、チアントレニル、フリル、ベンゾフリル、ピラニル、イソベンゾフラニル、ベンゾオキサゾニル、クロメニル、キサンテニル、２Ｈ−ピロリル、ピロリル、イミダゾリル、ピラゾリル、ピリジル、ピラジニル、ピリミジニル、ピリダジニル、イソインドリル、３Ｈ−インドリル、インドリル、インダゾリル、プリニル、イソキノリル、キノリル、フタラジニル、ナフチリジニル、シンノリニル、キナゾリニル、プテリジニル、４ａＨ−カルバゾリル、カルバゾリル、β−カルボリニル、フェナントリジニル、アクリジニル、ピリミジニル、フェナントロリニル、フェナジニル、チアゾリル、イソチアゾリル、フェノチアゾリル、イソキサゾリル、フラザニル、及びフェノキサジニルが含まれる。一実施形態において、ヘテロアリールは、チエニル（例えば、チエン−２−イル及びチエン−３−イル）、フリル（例えば、２−フリル及び３−フリル）、ピロリル（例えば、１Ｈ−ピロール−２−イル及び１Ｈ−ピロール−３−イル）、イミダゾリル（例えば、２Ｈ−イミダゾール−２−イル及び２Ｈ−イミダゾール−４−イル）、ピラゾリル（例えば、１Ｈ−ピラゾール−３−イル、１Ｈ−ピラゾール−４−イル、及び１Ｈ−ピラゾール−５−イル）、ピリジル（例えば、ピリジン−２−イル、ピリジン−３−イル、及びピリジン−４−イル）、ピリミジニル（例えば、ピリミジン−２−イル、ピリミジン−４−イル、ピリミジン−５−イル、及びピリミジン−５−イル）、チアゾリル（例えば、チアゾール−２−イル、チアゾール−４−イル、及びチアゾール−５−イル）、イソチアゾリル（例えば、イソチアゾール−３−イル、イソチアゾール−４−イル、及びイソチアゾール−５−イル）、オキサゾリル（例えば、オキサゾール−２−イル、オキサゾール−４−イル、及びオキサゾール−５−イル）、ならびにイソキサゾリル（例えば、イソキサゾール−３−イル、イソキサゾール−４−イル、及びイソキサゾール−５−イル）から選択される。「ヘテロアリール」という用語はまた、考えられるＮ−オキシドを含むことを意味する。例示的なＮ−オキシドには、ピリジルＮ−オキシド等が含まれる。
【００３０】
本開示の目的のために、「任意に置換されたヘテロアリール」という用語は、単独でまたは別の基の一部として使用される場合、上に定義されるヘテロアリールが、非置換であるか、またはハロ、ニトロ、シアノ、ヒドロキシ、アミノ、アルキルアミノ、ジアルキルアミノ、ハロアルキル、ヒドロキシアルキル、アルコキシ、ハロアルコキシ、アリールオキシ、アラルキルオキシ、アルキルチオ、カルボキシアミド、スルホンアミド、アルキルカルボニル、アリールカルボニル、アルキルスルホニル、アリールスルホニル、ウレイド、グアニジノ、カルボキシ、カルボキシアルキル、アルキル、シクロアルキル、アルケニル、アルキニル、アリール、ヘテロアリール、ヘテロシクロ、アルコキシアルキル、（アミノ）アルキル、ヒドロキシアルキルアミノ、（アルキルアミノ）アルキル、（ジアルキルアミノ）アルキル、（シアノ）アルキル、（カルボキシアミド）アルキル、メルカプトアルキル、（ヘテロシクロ）アルキル、及び（ヘテロアリール）アルキルから独立して選択される１〜４つの置換基、例えば、１つまたは２つの置換基で置換されているかのいずれかを意味する。一実施形態において、任意に置換されたヘテロアリールは、１つの置換基を有する。一実施形態において、任意に置換されたは、任意に置換されたピリジル、すなわち、２−、３−、または４−ピリジルである。任意の入手可能な炭素または窒素原子が置換され得る。別の実施形態において、任意に置換されたヘテロアリールは、任意に置換されたインドールである。
【００３１】
本開示の目的のために、「複素環」または「ヘテロシクロ」という用語は、単独でまたは別の基の一部として使用される場合、３〜１４個の環員（すなわち、３員〜１４員ヘテロシクロ）及び少なくとも１つのヘテロ原子を有する１つ、２つ、または３つの環を含有する、飽和及び部分的に不飽和の（例えば、１つまたは２つの二重結合を含有する）環式基を指す。各ヘテロ原子は、四級化され得る、酸素原子、スルホキシド及びスルホンを含む硫黄原子、ならびに／または窒素原子からなる群から独立して選択される。「ヘテロシクロ」という用語は、２−イミダゾリジノン等の環式ウレイド基、及びβ−ラクタム、γ−ラクタム、δ−ラクタム、及びε−ラクタム等の環式アミド基を含むことを意味する。「ヘテロシクロ」という用語はまた、任意に置換された縮合アリール基を有する基、例えば、インドリニルを含むことを意味する。一実施形態において、ヘテロシクロ基は、１個の環ならびに１個または２個の酸素原子及び／または窒素原子を含有する５員または６員環式基から選択される。ヘテロシクロは、炭素または窒素原子を通じて分子の残りに任意に連結され得る。非限定の例示的なヘテロシクロ基には、２−イミダゾリジノン、ピペリジニル、モルホリニル、ピペラジニル、ピロリジニル、及びインドリニルが含まれる。
【００３２】
本開示の目的のために、「任意に置換されたヘテロシクロ」という用語は、本明細書において単独でまたは別の基の一部として使用される場合、上に定義されるヘテロシクロが、非置換であるか、またはハロ、ニトロ、シアノ、ヒドロキシ、アミノ、アルキルアミノ、ジアルキルアミノ、ハロアルキル、ヒドロキシアルキル、アルコキシ、ハロアルコキシ、アリールオキシ、アラルキルオキシ、アルキルチオ、カルボキシアミド、スルホンアミド、アルキルカルボニル、アリールカルボニル、アルキルスルホニル、アリールスルホニル、ウレイド、グアニジノ、カルボキシ、カルボキシアルキル、アルキル、シクロアルキル、アルケニル、アルキニル、アリール、ヘテロアリール、ヘテロシクロ、アルコキシアルキル、（アミノ）アルキル、ヒドロキシアルキルアミノ、（アルキルアミノ）アルキル、（ジアルキルアミノ）アルキル、（シアノ）アルキル、（カルボキシアミド）アルキル、メルカプトアルキル、（ヘテロシクロ）アルキル、（ヘテロアリール）アルキル等から独立して選択される１〜４つの置換基で置換されているかのいずれかを意味する。置換は、任意の使用可能な炭素または窒素原子上で起こり得、スピロ環を形成することができる。非限定の例示的な任意に置換されたヘテロシクロ基には、
【化８】
2018520255.tif 000009
が含まれる。
【００３３】
本開示の目的のために、「アミノ」という用語は、単独でまたは別の基の一部として使用される場合、−ＮＨ２を指す。
【００３４】
本開示の目的のために、「アルキルアミノ」という用語は、単独でまたは別の基の一部として使用される場合、−ＮＨＲ１５を指し、式中、Ｒ１５が、アルキルである。
【００３５】
本開示の目的のために、「ジアルキルアミノ」という用語は、単独でまたは別の基の一部として使用される場合、−ＮＲ１６ａＲ１６ｂを指し、式中、Ｒ１６ａ及びＲ１６ｂが各々独立して、アルキルであるか、またはＲ１６ａ及びＲ１６ｂが共に、３員〜８員の任意に置換されたヘテロシクロを形成する。
【００３６】
本開示の目的のために、「ヒドロキシアルキルアミノ」という用語は、単独でまたは別の基の一部として使用される場合、−ＮＨＲ１７を指し、式中、Ｒ１７が、ヒドロキシアルキルである。
【００３７】
本開示の目的のために、「（アミノ）アルキル」という用語は、単独でまたは別の基の一部として使用される場合、アミノ基で置換されたアルキル基を指す。非限定の例示的なアミノアルキル基には、−ＣＨ２ＣＨ２ＮＨ２、−ＣＨ２ＣＨ２ＣＨ２ＮＨ２、−ＣＨ２ＣＨ２ＣＨ２ＣＨ２ＮＨ２等が含まれる。
【００３８】
本開示の目的のために、「（アルキルアミノ）アルキル」という用語は、単独でまたは別の基の一部として使用される場合、アルキルアミノ基で置換されたアルキル基を指す。非限定の例示的な（アルキルアミノ）アルキル基は、−ＣＨ２ＣＨ２Ｎ（Ｈ）ＣＨ３である。
【００３９】
本開示の目的のために、「（ジアルキルアミノ）アルキル」という用語は、単独でまたは別の基の一部として使用される場合、ジアルキルアミノ基によって置換されたアルキル基を指す。非限定の例示的な（ジアルキルアミノ）アルキル基は、−ＣＨ２ＣＨ２Ｎ（ＣＨ３）２である。
【００４０】
本開示の目的のために、「（シアノ）アルキル」という用語は、単独でまたは別の基の一部として使用される場合、１つ以上のシアノ、例えば、−ＣＮ基で置換されたアルキル基を指す。非限定の例示的な（シアノ）アルキル基には、−ＣＨ２ＣＨ２ＣＮ、−ＣＨ２ＣＨ２ＣＨ２ＣＮ、及び−ＣＨ２ＣＨ２ＣＨ２ＣＨ２ＣＮが含まれる。
【００４１】
本開示の目的のために、「カルボキシアミド」という用語は、単独でまたは別の基の一部として使用される場合、式−Ｃ（＝Ｏ）ＮＲ２４ａＲ２４ｂのラジカルを指し、式中、Ｒ２４ａ及びＲ２４ｂが各々独立して、水素、任意に置換されたアルキル、任意に置換されたアリール、もしくは任意に置換されたヘテロアリールであるか、またはＲ２４ａ及びＲ２４ｂが、それらが結合する窒素と共に、３員〜８員のヘテロシクロ基を形成する。一実施形態において、Ｒ２４ａ及びＲ２４ｂは各々独立して、水素または任意に置換されたアルキルである。非限定の例示的なカルボキシアミド基には、−ＣＯＮＨ２、−ＣＯＮ（Ｈ）ＣＨ３、−ＣＯＮ（ＣＨ３）２、及び−ＣＯＮ（Ｈ）Ｐｈが含まれる。
【００４２】
本開示の目的のために、「（カルボキシアミド）アルキル」という用語は、単独でまたは別の基の一部として使用される場合、カルボキシアミド基を有するアルキル基を指す。非限定の例示的な（カルボキシアミド）アルキル基には、−ＣＨ２ＣＯＮＨ２、−Ｃ（Ｈ）ＣＨ３−ＣＯＮＨ２、及び−ＣＨ２ＣＯＮ（Ｈ）ＣＨ３が含まれる。
【００４３】
本開示の目的のために、「スルホンアミド」という用語は、単独でまたは別の基の一部として使用される場合、式−ＳＯ２ＮＲ２３ａＲ２３ｂのラジカルを指し、式中、Ｒ２３ａ及びＲ２３ｂが各々独立して、水素、任意に置換されたアルキル、もしくは任意に置換されたアリールであるか、またはＲ２３ａ及びＲ２３ｂが、それらが結合する窒素と共に、３員〜８員ヘテロシクロ基を形成する。非限定の例示的なスルホンアミド基には、−ＳＯ２ＮＨ２、−ＳＯ２Ｎ（Ｈ）ＣＨ３、及び−ＳＯ２Ｎ（Ｈ）Ｐｈが含まれる。
【００４４】
本開示の目的のために、「アルキルカルボニル」という用語は、単独でまたは別の基の一部として使用される場合、アルキル基によって置換されたカルボニル基、すなわち、−Ｃ（＝Ｏ）−を指す。非限定の例示的なアルキルカルボニル基は、−ＣＯＣＨ３である。
【００４５】
本開示の目的のために、「アリールカルボニル」という用語は、単独でまたは別の基の一部として使用される場合、任意に置換されたアリール基によって置換されたカルボニル基、すなわち、−Ｃ（＝Ｏ）−を指す。非限定の例示的なアリールカルボニル基は、−ＣＯＰｈである。
【００４６】
本開示の目的のために、「アルキルスルホニル」という用語は、単独でまたは別の基の一部として使用される場合、上述の任意に置換されたアルキル基のうちのいずれかによって置換されたスルホニル基、すなわち、−ＳＯ２−を指す。非限定の例示的なアルキルスルホニル基は、−ＳＯ２ＣＨ３である。
【００４７】
本開示の目的のために、「アリールスルホニル」という用語は、単独でまたは別の基の一部として使用される場合、上述の任意に置換されたアリール基のうちのいずれかによって置換されたスルホニル基、すなわち、−ＳＯ２−を指す。非限定の例示的なアリールスルホニル基は、−ＳＯ２Ｐｈである。
【００４８】
本開示の目的のために、「メルカプトアルキル」という用語は、単独でまたは別の基の一部として使用される場合、−ＳＨ基によって置換された上述のアルキル基のうちのいずれかを指す。
【００４９】
本開示の目的のために、「カルボキシ」という用語は、単独でまたは別の基の一部として使用される場合、式−ＣＯＯＨのラジカルを指す。
【００５０】
本開示の目的のために、「カルボキシアルキル」という用語は、単独でまたは別の基の一部として使用される場合、−ＣＯＯＨで置換された上述のアルキル基のうちのいずれかを指す。非限定の例示的なカルボキシアルキル基は、−ＣＨ２ＣＯ２Ｈである。
【００５１】
本開示の目的のために、「アラルキル」という用語は、単独でまたは別の基の一部として使用される場合、１つ、２つ、または３つの任意に置換されたアリール基で置換されたアルキル基を指す。一実施形態において、アラルキル基は、１つの任意に置換されたアリール基で置換されたＣ１〜４アルキルである。非限定の例示的なアラルキル基には、ベンジル、フェネチル、−ＣＨＰｈ２、及び−ＣＨ（４−ＦＰｈ）２が含まれる。
【００５２】
本開示の目的のために、「ウレイド」という用語は、単独でまたは別の基の一部として使用される場合、式−ＮＲ２２ａＣ（＝Ｏ）ＮＲ２２ｂＲ２２ｃのラジカルを指し、式中、Ｒ２２ａが、水素、アルキル、もしくは任意に置換されたアリールであり、Ｒ２２ｂ及びＲ２２ｃが各々独立して、水素、アルキル、もしくは任意に置換されたアリールであるか、またはＲ２２ｂ及びＲ２２ｃが、それらが結合する窒素原子と共に、４員〜８員ヘテロシクロ基を形成する。非限定の例示的なウレイド基には、−ＮＨＣ（Ｃ＝Ｏ）ＮＨ２及び−ＮＨＣ（Ｃ＝Ｏ）ＮＨＣＨ３が含まれる。
【００５３】
本開示の目的のために、「グアニジノ」という用語は、単独でまたは別の基の一部として使用される場合、式−ＮＲ２５ａＣ（＝ＮＲ２６）ＮＲ２５ｂＲ２５ｃのラジカルを指し、式中、Ｒ２５ａ、Ｒ２５ｂ、及びＲ２５ｃが各々独立して、水素、アルキル、または任意に置換されたアリールであり、Ｒ２６が、水素、アルキル、シアノ、アルキルスルホニル、アルキルカルボニル、カルボキシアミド、またはスルホンアミドである。非限定の例示的なグアニジノ基には、−ＮＨＣ（Ｃ＝ＮＨ）ＮＨ２、−ＮＨＣ（Ｃ＝ＮＣＮ）ＮＨ２、−ＮＨＣ（Ｃ＝ＮＨ）ＮＨＣＨ３等が含まれる。
【００５４】
本開示の目的のために、「（ヘテロシクロ）アルキル」という用語は、単独でまたは別の基の一部として使用される場合、１つ、２つ、または３つの任意に置換されたヘテロシクロ基で置換されたアルキル基を指す。一実施形態において、（ヘテロシクロ）アルキルは、１つの任意に置換されたヘテロシクロ基で置換された（Ｃ１〜４）アルキルである。非限定の例示的な（ヘテロシクロ）アルキル基には、以下が含まれる。
【化９】
2018520255.tif 000010
【００５５】
本開示の目的のために、「（ヘテロアリール）アルキル」という用語は、単独でまたは別の基の一部として使用される場合、１つ、２つ、または３つの任意に置換されたヘテロアリール基で置換されたアルキル基を指す。一実施形態において、（ヘテロアリール）アルキル基は、１つの任意に置換されたヘテロアリール基で置換された（Ｃ１〜４）アルキルである。非限定の例示的な（ヘテロアリール）アルキル基には、
【化１０】
2018520255.tif 000011
が含まれる。
【００５６】
本開示は、１個以上の原子を異なる原子量または質量数を有する原子によって置き換えることによって同位体的に標識される（すなわち、放射標識される）、本明細書に開示される化合物のうちのいずれかを包含する。開示される化合物に組み込まれ得る同位体の例には、水素、炭素、窒素、酸素、リン、フッ素、及び塩素の同位体、例えば、それぞれ２Ｈ、３Ｈ、１１Ｃ、１３Ｃ、１４Ｃ、１５Ｎ、１８Ｏ、１７Ｏ、３１Ｐ、３２Ｐ、３５Ｓ、１８Ｆ、及び３６Ｃｌ、例えば、３Ｈ、１１Ｃ、及び１４Ｃが含まれる。同位体的に標識される化合物は、当該技術分野において既知の方法によって調製され得る。
【００５７】
本明細書に開示される化合物のうちのいくつかは、１つ以上の不斉中心を含有する場合があり、故にエナンチオマー、ジアステレオマー、及び他の立体異性形態をもたらし得る。本開示は、全てのそのような考えられる形態、ならびにそれらのラセミ形態及び分解形態、及びそれらの混合物の使用を包含することを意味する。個々のエナンチオマーは、本開示に照らして当該技術分野において既知の方法に従って分離され得る。本明細書に記載される化合物が、オレフィン二重結合または他の幾何不斉中心を含有する場合、別途指定されない限り、それらがＥ及びＺ幾何異性体の両方を含むことが意図される。全ての互変異性体は、同様に本開示によって包含されることが意図される。
【００５８】
本明細書で使用される場合、「立体異性体」という用語は、それらの原子の空間における配向のみが異なる個々の分子の全ての異性体に対する一般用語である。それは、互いの鏡像（ジアステレオマー）ではない複数のキラル中心を有する化合物のエナンチオマー及び異性体を含む。
【００５９】
「キラル中心」という用語は、４つの異なる基が結合する炭素原子を指す。
【００６０】
「エナンチオマー」及び「エナンチオマーの」という用語は、その鏡像に重ねることができず、したがってエナンチオマーが偏光の平面をある方向に回転させ、その鏡像化合物が偏光の平面を反対方向に回転させる場合、光学的に活性である分子を指す。
【００６１】
「ラセミ」という用語は、等量部のエナンチオマーの混合物を指し、この混合物は、光学的に不活性である。
【００６２】
「約」という用語は、測定量に関して本明細書で使用される場合、測定を行い、測定の目的及び測定器具の精度に見合ったレベルの注意を払う熟練者によって予想される、その測定量の正常変動を指す。
【発明を実施するための形態】
【００６３】
難燃性を改善するための添加剤を組み込む、ポリオレフィン組成物及び物品が、本明細書に開示される。具体的には、建築材料等の厚断面ポリオレフィン（例えば、ポリプロピレン、ポリエチレン、及びそれらのコポリマー）物品において使用するための難燃剤系が開示される。開示される難燃剤系は、市販の難燃剤系より低いレベルの、ポリプロピレン中の難燃性添加剤を更に可能にするが、依然として高い難燃性を呈する。
【００６４】
厚い断面物品は、１ｍｍより大きい最小寸法または最小厚さを有する任意の物品（例えば、非薄膜物品）である。厚断面物品はまた、１ｍｍより大きい全体厚さを有する多層物品（例えば、互いの上に層化されるか、または併せて積層されるいくつかの薄膜物品）を含んでもよい。
【００６５】
開示される組成物から生成された厚断面ポリオレフィン物品を用いて、押出または射出成形建築用外装／サイディング、外装建築用看板（例えば、下端、シングル、シャッター）、デッキ及び柵、輸送または倉庫パレット、パイプ、及びメンブレン（例えば、屋根、ジオメンブレン）等の難燃性建築材料を生成することができる。ある特定の実施形態において、建築材料は、ポリオレフィン基材、ならびにポリスチレン、ポリアミド、ポリエステル、ポリカーボネート、エポキシ樹脂、ポリオレタンのうちの１つ以上、及びこれらの材料の混合物及びブレンドを含む、様々なポリマーから形成され得る。ある特定の他の実施形態は、ポリエチレン、ポリプロピレン、それらのコポリマー、またはそれらの混合物から形成された建築材料を対象とする。
【００６６】
ある特定の実施形態において、難燃性ポリオレフィン組成物は、基材材料としてのポリオレフィン、ならびに１つ以上の添加剤を含み得る。添加剤には、例えば、１つ以上の難燃性化合物、１つ以上のヒンダードアミン相乗剤化合物、１つ以上の抗酸化剤及び／またはプロセス安定剤、１つ以上の酸捕捉剤、１つ以上の着色剤、１つ以上の充填剤、１つ以上の紫外光吸収剤、１つ以上の核化剤または清澄剤、ならびにそれらの組み合わせが含まれる。
【００６７】
ポリオレフィン基材
ある特定の実施形態において、ポリオレフィン基材には、例えば、ポリプロピレン（ＰＰ）、ポリエチレン（ＰＥ）、及びそれらのコポリマーが含まれる。ポリオレフィン基材は、他のポリマーが中に組み込まれていてもよく、ポリスチレン、ポリアミド、ポリエステル、ポリカーボネート、エポキシ樹脂、ポリウレタン、及びコポリマー（例えば、ランダムもしくはブロックコポリマー）、またはそれらの混合物が含まれる。ある特定の実施形態において、ポリオレフィン基材には、直鎖状低密度ポリエチレン（ＬＬＤＰＥ）、低密度ポリエチレン（ＬＤＰＥ）、中密度ポリエチレン（ＭＤＰＥ）、または高密度ポリエチレン（ＨＤＰＥ）が含まれる。ポリマー混合物のある特定の実施形態には、例えば、ＰＰ／ＨＤＰＥ、ＰＰ／ＬＬＤＰＥ、及びＬＬＤＰＥ／ＨＤＰＥ、ならびにＰＰ／ＨＤＰＥ／ＬＬＤＰＥ等の三元混合物が含まれる。ある特定の実施形態において、ポリマーは、直鎖状または分岐鎖状であり得、架橋（例えば、化学架橋）を伴うかまたは伴わずに調製され得る。
【００６８】
ある特定の実施形態において、ＰＰ及びＰＥのブレンドは、ブレンド中の成分の相溶性、部分混和性、または混和性のレベルを促進するのに好適な第３のポリマーと任意にブレンドされてもよい。そのような材料は、「界面張力還元剤」または「相溶化剤」と称される。
【００６９】
ある特定の実施形態において、ポリマーは、長鎖分岐（ＬＣＢ）をポリプロピレン主鎖から誘導するように架橋されてもよく、ポリプロピレングレードにおいて現在商業的に入手可能であるものより高い溶融強度及び拡張性、ならびに低いメルトフローをもたらす。
【００７０】
ポリプロピレンを用いるある特定の実施形態において、組成物は、そうでなければ成形物品への溶融変換時に存在するものより高いレベルの、ポリマー中で形成される結晶化度を促進する添加剤を含有し得る。そのような添加剤は、「核化剤」と称される。
【００７１】
ポリオレフィンは、例えば、ラジカル重合（通常は高圧下かつ昇温で）及び触媒重合（例えば、通常は基ＩＶｂ、Ｖｂ、ＶＩｂ、またはＶＩＩＩの１つまたは複数の金属を含有する触媒を使用する）を含む、様々な方法によって調製され得る。そのような金属は、通常は１つまたは複数のリガンド、典型的にはπ−配位またはσ−配位のいずれかであり得る、酸化物、ハロゲン化物、アルコラート、エステル、エーテル、アミン、アルキル、アルケニル、及び／またはアリールを有する金属錯体を形成することができる。そのような金属錯体は、遊離形態であり得るか、または基材上、典型的には活性化塩化マグネシウム、塩化チタン（ＩＩＩ）、アルミナ、または酸化ケイ素上に固定され得る。触媒は、重合培地中に可溶性であっても不溶性であってもよい。触媒は、重合において単独で使用され得るか、または更なる活性剤、典型的には金属アルキル、金属水素化物、金属アルキルハロゲン化物、金属アルキル酸化物、または金属アルキロキサンが使用されてもよく、これらの金属は、基Ｉａ、ＩＩａ、及び／またはＩＩＩａの元素である。活性剤は、更なるエステル、エーテル、アミン、またはシリルエーテル基で好都合に修飾されてもよい。これらの触媒系は、通常は「Ｐｈｉｌｌｉｐｓ」、「Ｓｔａｎｄａｒｄ  Ｏｉｌ  Ｉｎｄｉａｎａ」、「Ｚｉｅｇｌｅｒ（−Ｎａｔｔａ）」、「ＴＮＺ」、「メタロセン」、または「シングルサイト触媒」と呼ばれる。
【００７２】
ポリプロピレンを用いるある特定の実施形態において、ポリプロピレンは、ポリプロピレンランダムコポリマー、交互もしくはセグメント化コポリマー、またはエチレン、１−プロペン、Ｃ４〜Ｃ２０−α−オレフィン、ビニルシクロヘキサン、ビニルシクロヘキセン、Ｃ４〜Ｃ２０−アルカンジエン、Ｃ５〜Ｃ１２−シクロアルカンジエン、及びノルボルネン誘導体から選択される１つ以上のコモノマーを含有するブロックコポリマーであり、プロピレン及びコモノマー（複数可）の総モル量は、１００％である。好適なＣ４〜Ｃ２０−α−オレフィンの例には、１−ブテン、１−ペンテン、１−ヘキセン、１−ヘプテン、１−オクテン、１−ノネン、１−デセン、１−ウンデセン、１−ドデセン、１−テトラデセン、１−ヘキサデセン、１−オクタデセン、１−エイコセン、及び４−メチル−１−ペンテンが含まれるが、これらに限定されない。好適なＣ４〜Ｃ２０−アルカンジエンの例には、ヘキサジエン及びオクタジエンが含まれるが、これらに限定されない。好適なＣ５〜Ｃ１２−シクロアルカンジエンの例には、シクロペンタジエン、シクロヘキサジエン、及びシクロオクタジエンが含まれるが、これらに限定されない。好適なノルボルネン誘導体の例には、５−エチリデン−２−ノルボルネン、ジシクロペンタジエン、及びメチレン−ジメチレン−ヘキサヒドロナフタレンが含まれるが、これらに限定されない。
【００７３】
ポリプロピレンコポリマーには、長鎖分岐ポリプロピレンコポリマーも含まれる。いくつかの実施形態において、プロピレン／エチレンコポリマーは、例えば、５０重量％〜９９．９重量％、８０重量％〜９９．９重量％、または９０重量％〜９９．９重量％プロピレンを含有する。
【００７４】
ある特定の実施形態において、基材を形成するポリオレフィンポリマーは、ポリプロピレン、ポリエチレン、及びそれらのコポリマーまたは混合物から選択される。基材は、中に組み込まれた追加のポリマーを含んでもよく、ポリスチレン、ポリアミド、ポリエステル、ポリカーボネート、エポキシ樹脂、ポリウレタン、またはそれらのコポリマーもしくは混合物が含まれるが、これらに限定されない。ある特定の実施形態において、ポリオレフィン基材に組み込まれる他のポリマーの総量は、ポリオレフィン基材の総重量の１５重量％未満、２０重量％未満、２５重量％未満、３０重量％未満、３５重量％未満、４０重量％未満、４５重量％未満、５０重量％未満、５５重量％未満、６０重量％未満、６５重量％未満、７０重量％未満、７５重量％未満、８０重量％、または８５重量％未満である。
【００７５】
ある特定の実施形態において、コモノマーが、Ｃ９〜Ｃ２０−α−オレフィン（例えば、１−ノネン、１−デセン、１−ウンデセン、１−ドデセン、１−テトラデセン、１−ヘキサデセン、１−オクタデセン、または１−エイコセン）、Ｃ９〜Ｃ２０アルカンジエン、Ｃ９〜Ｃ１２シクロアルカンジエン、またはノルボルネン誘導体（例えば、５−エチリデン−２−ノルボルネンまたはメチレン−ジメチレン−ヘキサヒドロナフタレン）であるプロピレンコポリマーは、少なくとも９０モル％、９０モル％〜９９．９モル％、または９０モル％〜９９モル％のプロピレンを含有し得る。
【００７６】
ある特定の実施形態において、コモノマーが、Ｃ４〜Ｃ−α−オレフィン（例えば、１−ブテン、１−ペンテン、１−ヘキセン、１−ヘプテン、１−オクテン、または４−メチル−１−ペンテン）、ビニルシクロヘキサン、ビニルシクロヘキセン、Ｃ４〜Ｃ８−アルカンジエン、またはＣ５〜Ｃ８シクロアルカンジエンであるプロピレンコポリマーは、少なくとも８０モル％、８０モル％〜９９．９モル％、または８０モル％〜９９モル％のプロピレンを含有し得る。
【００７７】
ポリオレフィン基材の更なる実施形態には、プロピレン／イソブチレンコポリマー、プロピレン／ブタジエンコポリマー、プロピレン／シクロオレフィンコポリマー、プロピレンの、エチレン及びジエンとのターポリマー（例えば、ヘキサジエン、ジシクロペンタジエン、またはエチリデン−ノルボルネン）、プロピレン／１−オレフィンコポリマー（例えば、１−オレフィンが、原位置で生成される）、及びプロピレン／一酸化炭素コポリマーが含まれる。
【００７８】
難燃性化合物
ある特定の実施形態において、１つ以上の難燃性化合物は、添加剤としてポリオレフィン基材に組み込まれ得る。
【００７９】
難燃剤を含有するリンには、ホスファゼン難燃剤が含まれてもよく、例えば、ＥＰ１１０４７６６、ＪＰ０７２９２２３３、ＤＥ１９８２／８５４１、ＤＥ１９８８／５３６、ＪＰ１１２６３８８５、米国特許第４，０７９，０３５号、同第４，１０７，１０８号、同第４，１０８，８０５号、及び同第６，２６５，５９９号に開示されている。非ハロゲン化リン系難燃剤は、リン酸トリフェニル、リン酸エステル、ホスホニウム誘導体、ホスホン酸塩、リン酸エステル、及びリン酸エステル等のリンを含む化合物、ならびに米国特許第７，７８６，１９９号に記載されるものが含まれ得る。リン系（有機リン）難燃剤は、通常はアルキル（一般に直鎖）またはアリール（芳香族環）基が結合されるリン酸塩コアで構成される。例には、赤リン、無機リン酸塩、不溶性リン酸アンモニウム、ポリリン酸アンモニウム、尿素ポリリン酸アンモニウム、オルトリン酸アンモニウム、炭酸リン酸アンモニウム、尿素リン酸アンモニウム、リン酸二アンモニウム、メラミンリン酸アンモニウム、ポリリン酸ジエチレンジアミン、ポリリン酸ジシアンジアミド、ポリリン酸塩、リン酸尿素、ピロリン酸メラミン、オルトリン酸メラミン、メチルホスホン酸ジメチルのメラミン塩、ジメチルヒドロゲンホスファイトのメラミン塩、ポリリン酸ホウ素のアンモニウム塩、メチルホスホン酸ジメチルの尿素塩、有機リン酸塩、ホスホン酸塩、及びホスフィン酸化物が含まれる。リン酸エステルには、例えば、リン酸トリエチル、トリス（２−エチルヘキシル）リン酸塩、リン酸トリオクチル等のトリアルキル誘導体、リン酸トリフェニル、ジフェニルリン酸クレジル、及びリン酸トリクレジル等のトリアリール誘導体、ならびに２−エチルヘキシル−リン酸ジフェニル及びジメチル−リン酸アリール及びリン酸オクチルフェニル、及びジアミンリン酸エチレン等のアリール−アルキル誘導体が含まれる。
【００８０】
リン系難燃剤の他の例には、リン酸ホウ素メチルアミン、リン酸シアヌルアミド、リン酸マグネシウム、ジメチルリン酸エタノールアミン、環式ホスホン酸エステル、ホスホン酸トリアルキル、アンモニウムリン酸カリウム、リン酸シアヌルアミド、リン酸アニリン、トリメチルホスホルアミド、トリス（１−アジリジニル）ホスフィンオキシド、ビス（５，５−ジメチル−２−チオノ−１，３，２−ジオキサホスホリンアミル）オキシド、ジメチルホスホノ−Ｎ−ヒドロキシメチル−３−プロピオンアミド、トリス（２−ブトキシエチル）リン酸塩、テトラキス（ヒドロキシメチル）ホスホニウム塩、例えばテトラキス（ヒドロキシメチル）ホスホニウムクロリド及びテトラキス（ヒドロキシメチル）ホスホニウム硫酸塩、ｎ−ヒドロキシメチル−３−（ジメチルホスホノ）−プロピオンアミド、ポリリン酸ホウ素のメラミン塩、ポリリン酸ホウ素のアンモニウム塩、トリフェニルホスファイト、ジメチルリン酸アンモニウム、オルトリン酸メラミン、尿素リン酸アンモニウム、メラミンリン酸アンモニウム、メチルホスホン酸ジメチルのメラミン塩、ジメチルヒドロゲンホスファイトのメラミン塩が含まれる。
【００８１】
金属水酸化物難燃剤には、無機水酸化物、例えば水酸化アルミニウム、水酸化マグネシウム、アルミナ三水和物（ＡＴＨ）、及びヒドロキシ炭酸塩が含まれる。
【００８２】
メラミン系難燃剤は、３つの化学基：（ａ）メラミン（２，４，６−トリアミノ−１，３，５トリアジン）、（ｂ）メラミン誘導体（有機酸または無機酸、例えばホウ酸、シアヌル酸、リン酸、またはピロ／ポリリン酸を有する塩を含む）、及び（ｃ）メラミン相同体を含む、非ハロゲン化難燃剤のファミリーである。メラミン誘導体には、例えば、シアヌル酸メラミン（メラミン及びシアヌル酸の塩）、モノリン酸メラミン（メラミン及びリン酸の塩）、ピロリン酸メラミン、及びポリリン酸メラミンが含まれる。メラミン相同体には、メラム（１，３，５−トリアジン−２，４，６−トリアミン−ｎ−（４，６−ジアミノ−１，３，５−トリアジン−−２−イル）、メレム（２，５，８−トリアミノ１，３，４，６，７，９，９ｂ−ヘプタアザフェナレン）、及びメロン（ポリ［８−アミノ−１，３，４，６，７，９，９ｂ−ヘプタアザフェナレン−２，５−ジイル）が含まれる。
【００８３】
メラミン系難燃剤には、メラミン化合物／ポリオール縮合物も含まれる。例えば、米国特許出願第１０／５３９，０９７号（ＷＯ２００４／０５５０２９として公開）及び米国特許出願第２０１０／１５２３７６号に開示されているように、ポリオールは、直鎖、分岐鎖、もしくは環式三水素性、四水素性、五水素性、もしくは六水素性アルコール、または直鎖もしくは環式Ｃ４〜Ｃ６アルドースまたはＣ４〜Ｃ６ケトースであり、メラミン化合物は、リン酸メラミン、ピロリン酸メラミン、またはポリリン酸メラミンである。いくつかの実施形態において、ポリオールは、ペンタエリスリトールまたはジペンタエリスリトールである。いくつかの実施形態において、メラミン化合物は、リン酸メラミンである。メラミン化合物対ポリオールのモル比は、いくつかの実施形態において、約１：１〜約４：１である。縮合物は更に、ヒドロキシ基によって置換された樹状ポリマー、例えば樹状ポリエステルまたは樹状ポリアミドを中に組み込んでいてもよい。樹状ポリエステルは、トリメチオールプロパン、ペンタエリスリトール、エトキシル化ペンタエリスリトール、及び鎖延長ジメチルプロピオン酸から選択される開始剤化合物の生成物であり得る。樹状ポリアミドは、いくつかの実施形態において、環式カルボン酸無水物及びジイソプロパノールアミンの重縮合物である。
【００８４】
ホウ酸難燃性化合物には、例えば、ホウ酸亜鉛、ホウ砂（ホウ酸ナトリウム）、ホウ酸アンモニウム、及びホウ酸カルシウムが含まれ得る。ホウ酸亜鉛は、化学組成物ｘＺｎＯｙＢ２Ｏ３・ｚＨ２Ｏを有するホウ素系難燃剤である。ホウ酸亜鉛は、単独で、またはアルミナ三水和物、水酸化マグネシウム、または赤リン等の他の化学化合物と併せて使用され得る。それは、ハロゲン化亜鉛またはオキシハロゲン化亜鉛を通じて作用し、これがハロゲン源の分解を加速し、チャー形成を促進する。
【００８５】
単独で、または他の難燃性基材と組み合わせて用いられ得る難燃性基材を含有する他の金属の例には、酸化マグネシウム、塩化マグネシウム、タルカム、アルミナ水和物、酸化亜鉛、アルミナ三水和物、アルミナマグネシウム、ケイ酸カルシウム、ケイ酸ナトリウム、ゼオライト、炭酸ナトリウム、炭酸カルシウム、モリブデン酸アンモニウム、酸化鉄、酸化銅、リン酸亜鉛、塩化亜鉛、粘土、リン酸二水素ナトリウム、錫、モリブデン、及び亜鉛が含まれるが、これらに限定されない。
【００８６】
ある特定の実施形態において、添加剤は、１つ以上の難燃性化合物を含んでもよい。難燃性化合物は、ホスホン酸エステル、リン酸エステル、及びそれらの組み合わせから選択される１つ以上の有機リン化合物を含み得る。
【００８７】
ある特定の実施形態において、有機リン化合物は、以下の式を有するホスホン酸エステルであり、
【化１１】
2018520255.tif 000012
式中、Ｒ１及びＲ２が独立して、アルキル、任意に置換されたアルキル、ベンジル、任意に置換されたベンジル、フェニル、任意に置換されたフェニル、ナフチル、及び任意に置換されたナフチルから選択される。ある特定の実施形態において、Ｒ１及びＲ２の両方は、メチルである（ＴＨＯＲから入手可能なＡＦＬＡＭＭＩＴ（登録商標）ＰＣＯ  ９６０として商業的に知られている）。
【００８８】
ある特定の実施形態において、有機リン化合物は、以下の式：
【化１２】
2018520255.tif 000013
を有するリン酸エステルである。
【００８９】
ある特定の実施形態において、有機リン化合物は、以下の式：
【化１３】
2018520255.tif 000014
を有するホスホン酸エステルである。
【００９０】
ある特定の実施形態において、有機リン化合物は、以下の式：
【化１４】
2018520255.tif 000015
を有するホスホン酸エステルである。
【００９１】
ある特定の実施形態において、有機リン化合物は、以下の式を有するリン酸エステルであり、
【化１５】
2018520255.tif 000016
式中、ｎが、１〜７の整数である。
【００９２】
ある特定の実施形態において、有機リン化合物は、以下の式を有するリン酸エステルであり、
【化１６】
2018520255.tif 000017
式中、ｎが、１または２である。
【００９３】
ある特定の実施形態において、有機リン化合物は、以下の式を有するリン酸エステルであり、
【化１７】
2018520255.tif 000018
式中、Ｘが、二価アリーレンであり、ｎが、１または２である。
【００９４】
ある特定の実施形態において、有機リン化合物は、以下の式：
【化１８】
2018520255.tif 000019
を有するリン酸エステルである。
【００９５】
ある特定の実施形態において、他の好適な有機リン化合物が使用されてもよい。
【００９６】
ある特定の実施形態において、１つ以上の難燃性化合物（例えば、有機リン化合物）は、ポリオレフィン基材の重量に基づいて１重量％〜７０重量％、１重量％〜６０重量％、１重量％〜５０重量％、１重量％〜４０重量％、１重量％〜３０重量％、１重量％〜２０重量％、１重量％〜１０重量％、２重量％〜９重量％、３重量％〜６重量％、２重量％〜５重量％、または１重量％〜４重量％の量で存在する。例えば、１つ以上の難燃性化合物は、ポリオレフィン基材の重量に基づいて約１重量％、約２重量％、約３重量％、約４重量％、約５重量％、約６重量％、約７重量％、約８重量％、約９重量％、または約１０重量％の量、ならびに前述の量の間の量で存在し得る。
【００９７】
相乗剤
ある特定の実施形態において、１つ以上の相乗剤（例えば、光吸収剤）が、添加剤としてポリオレフィン基材に組み込まれてもよい。相乗剤は、「安定剤」とも称され得る。本明細書に記載されるある特定の相乗剤化合物は、難燃性化合物として用いられてもよい。
【００９８】
ある特定の実施形態において、紫外（ＵＶ）光吸収剤には、例えば、ヒドロキシフェニルベンゾトリアゾール、トリス−アリール−ｓ−トリアジン、ヒドロキシル−安息香酸塩、及び２−ヒドロキシベンゾフェノン紫外光吸収剤（ＵＶＡ）、ならびに商品名Ｕｖｉｎｕｌ（登録商標）３０３０、３０３５、３０３９で知られているもの等のシアノアクリレートが含まれる。
【００９９】
好適なヒドロキシフェニルベンゾトリアゾールＵＶＡは、例えば、米国特許第３，００４，８９６号、同第３，０５５，８９６号、同第３，０７２，５８５号、同第３，０７４，９１０号、同第３，１８９，６１５号、同第３，２１８，３３２号、同第３，２３０，１９４号、同第４，１２７，５８６号、同第４，２２６，７６３号、同第４，２７５，００４号、同第４，２７８，５８９号、同第４，３１５，８４８号、同第４，３４７，１８０号、同第４，３８３，８６３号、同第４，６７５，３５２号、同第４，６８１，９０５号、同第４，８５３，４７１号、同第５，２６８，４５０号、同第５，２７８，３１４号、同第５，２８０，１２４号、同第５，３１９，０９１号、同第５，４１０，０７１号、同第５，４３６，３４９号、同第５，５１６，９１４号、同第５，５５４，７６０号、同第５，５６３，２４２号、同第５，５７４，１６６号、同第５，６０７，９８７号、同第５，９７７，２１９号、及び同第６，１６６，２１８号に開示されており、例えば、２−（２−ヒドロキシ−５−メチルフェニル）−２Ｈ−ベンゾトリアゾール、２−（３，５−ジ−ｔ−ブチル−２−ヒドロキシフェニル）−２Ｈ−ベンゾトリアゾール、２−（２−ヒドロキシ−５−ｔ−ブチルフェニル）−２Ｈ−ベンゾトリアゾール、２−（２−ヒドロキシ−５−ｔ−オクチルフェニル）−２Ｈ−ベンゾトリアゾール、５−クロロ−２−（３，５−ジ−ｔ−ブチル−２−ヒドロキシフェニル）−２Ｈ−ベンゾトリアゾール、５−クロロ−２−（３−ｔ−ブチル−２−ヒドロキシ−５−メチルフェニル）−２Ｈ−ベンゾトリアゾール、２−（３−ｓｅｃ−ブチル−５−ｔ−ブチル−２−ヒドロキシフェニル）−２Ｈ−ベンゾトリアゾール、２−（２−ヒドロキシ−４−オクチルオキシフェニル）−２Ｈ−ベンゾトリアゾール、２−（３，５−ジ−ｔ−アミル−２−ヒドロキシフェニル）−２Ｈ−ベンゾトリアゾール、２−（３，５−ビス−α−クミル−２−ヒドロキシフェニル）−２Ｈ−ベンゾトリアゾール、２−（３−ｔ−ブチル−２−ヒドロキシ−５−（２−（ω−ヒドロキシ−オクタ−（エチレンオキシ）カルボニル−エチル）−フェニル）−２Ｈ−ベンゾトリアゾール、２−（３−ドデシル−２−ヒドロキシ−５−メチルフェニル）−２Ｈ−ベンゾトリアゾール、２−（３−ｔ−ブチル−２−ヒドロキシ−５−（２−オクチルオキシカルボニル）エチルフェニル）−２Ｈ−ベンゾトリアゾール、ドデシル化２−（２−ヒドロキシ−５−メチルフェニル）−２Ｈ−ベンゾトリアゾール、２−（３−ｔ−ブチル−２−ヒドロキシ−５−（２−オクチルオキシカルボニルエチル）フェニル）−５−クロロ−２Ｈ−ベンゾトリアゾール、２−（３−ｔｅｒｔ−ブチル−５−（２−（２−エチルヘキシル−オキシ）−カルボニルエチル）−２−ヒドロキシフェニル）−５−クロロ−２Ｈ−ベンゾトリアゾール、２−（３−ｔ−ブチル−２−ヒドロキシ−５−（２−メトキシカルボニルエチル）フェニル）−５−クロロ−２Ｈ−ベンゾトリアゾール、２−（３−ｔ−ブチル−２−ヒドロキシ−５−（２−メトキシカルボニルエチル）フェニル）−２Ｈ−ベンゾトリアゾール、２−（３−ｔ−ブチル−５−（２−（２−エチルヘキシルオキシ）カルボニル��チル）−２−ヒドロキシ−フェニル）−２Ｈ−ベンゾトリアゾール、２−（３−ｔ−ブチル−２−ヒドロキシ−５−（２−イソオクチルオキシカルボニルエチル）フェニル−２Ｈ−ベンゾトリアゾール、２，２′−メチレン−ビス（４−ｔ−オクチル−（６−２Ｈ−ベンゾトリアゾール−２−イル）フェノール）、２−（２−ヒドロキシ−３−α−クミル−５−ｔ−オクチルフェニル）−２Ｈ−ベンゾトリアゾール、２−（２−ヒドロキシ−３−ｔ−オクチル−５−α−クミル−フェニル）−２Ｈ−ベンゾトリアゾール、５−フルオロ−２−（２−ヒドロキシ−３，５−ジ−α−クミル−フェニル）−２Ｈ−ベンゾトリアゾール、５−クロロ−２−（２−ヒドロキシ−３，５−ジ−α−クミルフェニル）−２Ｈ−ベンゾトリアゾール、５−クロロ−２−（２−ヒドロキシ−３−α−クミル−５−ｔ−オクチルフェニル）−２Ｈ−ベンゾトリアゾール、２−（３−ｔ−ブチル−２−ヒドロキシ−５−（２−イソオクチルオキシカルボニルエチル）フェニル）−５−クロロ−２Ｈ−ベンゾトリアゾール、５−トリフルオロメチル−２−（２−ヒドロキシ−３−α−クミル−５−ｔ−オクチルフェニル）−２Ｈ−ベンゾトリアゾール、５−トリフルオロメチル−２−（２−ヒドロキシ−５−ｔ−オクチルフェニル）−２Ｈ−ベンゾトリアゾール、５−トリフルオロメチル−２−（２−ヒドロキシ−３，５−ジ−ｔ−オクチルフェニル）−２Ｈ−ベンゾトリアゾール、メチル３−（５−トリフルオロメチル−２Ｈ−ベンゾ−トリアゾール−２−イル）−５−ｔ−ブチル−４−ヒドロキシ−ヒドロケイ皮酸塩、５−ブチルスルホニル−２−（２−ヒドロキシ−３−α−クミル−５−ｔ−オクチルフェニル）−２Ｈ−ベンゾトリアゾール、５−トリフルオロメチル−２−（２−ヒドロキシ−３−α−クミル−５−ｔ−ブチルフェニル）−２Ｈ−ベンゾトリアゾール、５−トリフルオロメチル−２−（２−ヒドロキシ−３，５−ジ−ｔ−ブチルフェニル）−２Ｈ−ベンゾトリアゾール、５−トリフルオロメチル−２−（２−ヒドロキシ−３，５−ジ−α−クミル−フェニル）−２Ｈ−ベンゾトリアゾール、５−ブチルスルホニル−２−（２−ヒドロキシ−３，５−ジ−ｔ−ブチルフェニル）−２Ｈ−ベンゾトリアゾール、及び５−フェニルスルホニル−２−（２−ヒドロキシ−３，５−ジ−ｔ−ブチルフェニル）−２Ｈ−ベンゾトリアゾールが含まれる。
【０１００】
好適なトリス−アリール−ｓ−トリアジンＵＶＡは、例えば、米国特許第３，８４３，３７１号、同第４，６１９，９５６号、同第４，７４０，５４２号、同第５，０９６，４８９号、同第５，１０６，８９１号、同第５，２９８，０６７号、同第５，３００，４１４号、同第５，３５４，７９４号、同第５，４６１，１５１号、同第５，４７６，９３７号、同第５，４８９，５０３号、同第５，５４３，５１８号、同第５，５５６，９７３号、同第５，５９７，８５４号、同第５，６８１，９５５号、同第５，７２６，３０９号、同第５，７３６，５９７号、同第５，９４２，６２６号、同第５，９５９，００８号、同第５，９９８，１１６号、同第６，０１３，７０４号、同第６，０６０，５４３号、同第６，２４２，５９８号、及び同第６，２５５，４８３号に開示されており、例えば、４，６−ビス−（２，４−ジメチルフェニル）−２−（２−ヒドロキシ−４−オクチルオキシフェニル）−ｓ−トリアジン、ＣＹＡＳＯＲＢ  ＵＶ−１１６４、４，６−ビス−（２，４−ジメチルフェニル）−２−（２，４−ジヒドロキシフェニル）−ｓ−トリアジン、２，４−ビス（２，４−ジヒドロキシフェニル）−６−（４−クロロフェニル）−ｓ−トリアジン、２，４−ビス［２−ヒドロキシ−４−（２−ヒドロキシ−エトキシ）フェニル］−６−（４−クロロフェニル）−ｓ−トリアジン、２，４−ビス［２−ヒドロキシ−４−（２−ヒドロキシ−４−（２−ヒドロキシエトキシ）フェニル］−６−（２，４−ジメチルフェニル）−ｓ−トリアジン、２，４−ビス［２−ヒドロキシ−４−（２−ヒドロキシエトキシ）フェニル］−６−（４−ブロモフェニル）−ｓ−トリアジン、２，４−ビス［２−ヒドロキシ−４−（２−アセトキシエトキシ）−フェニル］−６−（４−クロロフェニル）−ｓ−トリアジン、２，４−ビス（２，４−ジヒドロキシフェニル）−６−（２，４−ジメチルフェニル）−ｓ−トリアジン、２，４−ビス（４−ビフェニルイル）−６−（２−ヒドロキシ−４−オクチルオキシカルボニルエチリデンオキシフェニル）−ｓ−トリアジン、２−フェニル−４−［２−ヒドロキシ−４−（３−ｓｅｃ−ブチルオキシ−２−ヒドロキシプロピルオキシ）フェニル］−６−［２−ヒドロキシ−４−（３−ｓｅｃ−アミルオキシ−２−ヒドロキシプロピルオキシ）フェニル］−ｓ−トリアジン、２，４−ビス（２，４−ジメチルフェニル）−６−［２−ヒドロキシ−４−（３−ベンジルオキシ−２−ヒドロキシプロピルオキシ）フェニル］−ｓ−トリアジン、２，４−ビス（２−ヒドロキシ−４−ｎ−ブチルオキシフェニル）−６−（２，４−ジ−ｎ−ブチルオキシ−フェニル）−ｓ−トリアジン、２，４−ビス（２，４−ジメチルフェニル）−６−［２−ヒドロキシ−４−（３−ノニルオキシ＊−２−ヒドロキシプロピルオキシ）−５−α−クミルフェニル］−ｓ−トリアジン（＊は、オクチルオキシ、ノニルオキシ、及びデシルオキシ基の混合物を示す）、メチレンビス−｛２，４−ビス（２，４−ジメチルフェニル）−６−［２−ヒドロキシ−４−（３−ブチルオキシ−２−ヒドロキシプロポキシ）フェニル］−ｓ−トリアジン｝、３：５′、５：５′、及び３：３′位において５：４：１の比で架橋されたメ��レン架橋二量体混合物、２，４，６−トリス（２−ヒドロキシ−４−イソオクチルオキシカルボニルイソプロピリデンオキシフェニル）−ｓ−トリアジン、２，４−ビス（２，４−ジメチルフェニル）−６−（２−ヒドロキシ−４−ヘキシルオキシ−５−α−クミルフェニル）−ｓ−トリアジン、２−（２，４，６−トリメチルフェニル）−４，６−ビス［２−ヒドロキシ−４−（３−ブチルオキシ−２−ヒドロキシプロピルオキシ）フェニル］−ｓ−トリアジン、２，４，６−トリス［２−ヒドロキシ−４−（３−ｓｅｃ−ブチルオキシ−２−ヒドロキシプロピルオキシ）フェニル］−ｓ−トリアジン、４，６−ビス−（２，４−ジメチルフェニル）−２−（２−ヒドロキシ−４−（３−ドデシルオキシ−２−ヒドロキシプロポキシ）−フェニル）−ｓ−トリアジン、及び４，６−ビス−（２，４−ジメチルフェニル）−２−（２−ヒドロキシ−４−（３−トリデシルオキシ−２−ヒドロキシプロポキシ）−フェニル）−ｓ−トリアジンの混合物、ＴＩＮＵＶＩＮ  ４００、４，６−ビス−（２，４−ジメチルフェニル）−２−（２−ヒドロキシ−４−（３−（２−エチルヘキシルオキシ）−２−ヒドロキシプロポキシ）−フェニル）−ｓ−トリアジン、ならびに４，６−ジフェニル−２−（４−ヘキシルオキシ−２−ヒドロキシフェニル）−ｓ−トリアジンが含まれる。
【０１０１】
好適なヒドロキシベンゾエートＵＶ吸収剤には、例えば、置換及び非置換安息香酸のエステル、例えば４−ｔｅｒｔ−ブチルフェニルサリチレート、フェニルサリチレート、オクチルフェニルサリチレート、ジベンゾイルレゾルシノール、ビス（４−ｔｅｒｔ−ブチルベンゾイル）レゾルシノール、ベンゾイルレゾルシノール、２，４−ジ−ｔｅｒｔ−ブチルフェニル３，５−ジ−ｔｅｒｔ−ブチル−４−ヒドロキシベンゾエート、ヘキサデシル３，５−ジ−ｔｅｒｔ−ブチル−４−ヒドロキシベンゾエート、オクタデシル３，５−ジ−ｔｅｒｔ−ブチル−４−ヒドロキシベンゾエート、及び２−メチル−４，６−ジ−ｔｅｒｔ−ブチルフェニル３，５−ジ−ｔｅｒｔ−ブチル−４−ヒドロキシベンゾエートが含まれる。
【０１０２】
２−ヒドロキシベンゾフェノンＵＶ吸収剤には、例えば、４−ヒドロキシ、４−メトキシ、４−オクチルオキシ、４−デシルオキシ、４−ドデシルオキシ、４−ベンジルオキシ、４，２′，４′−トリヒドロキシ、及び２′−ヒドロキシ−４，４′−ジメトキシ誘導体が含まれる。
【０１０３】
ある特定の実施形態において、ＵＶＡは、添加剤として含まれる。ＵＶＡは、５−クロロ−２−（３−ｔ−ブチル−２−ヒドロキシ−５−メチルフェニル）−２Ｈ−ベンゾトリアゾール、２−（３，５−ビス−α−クミル−２−ヒドロキシフェニル）−２Ｈ−ベンゾトリアゾール、４，６−ジフェニル−２−（４−ヘキシルオキシ−２−ヒドロキシフェニル）−ｓ−トリアジン、４，６−ビス−（２，４−ジメチルフェニル）−２−（２−ヒドロキシ−４−オクチルオキシフェニル）−ｓ−トリアジン、２，４−ジ−ｔｅｒｔ−ブチルフェニル３，５−ジ−ｔｅｒｔ−ブチル−４−ヒドロキシベンゾエート、ヘキサデシル３，５−ジ−ｔｅｒｔ−ブチル−４−ヒドロキシベンゾエート、または４−オクチルオキシ−２−ヒドロキシベンゾフェノンのうちの１つ以上を含んでもよい。
【０１０４】
ある特定のＵＶＡは、市販の製剤であり、例えばＴＩＮＵＶＩＮ  ３２６、ＴＩＮＵＶＩＮ  ２３４、ＴＩＮＵＶＩＮ  １５７７、ＴＩＮＵＶＩＮ  １６００、ＣＹＡＳＯＲＢ  ＵＶ  １１６４、ＣＹＡＳＯＲＢ  ＴＨＴ、ＣＹＡＳＯＲＢ  ＵＶ  ２９０８、及びＣＨＩＭＡＳＳＯＲＢ  ８１が含まれる。
【０１０５】
ある特定の実施形態において、１つ以上のＵＶＡは、ポリオレフィン基材の重量に基づいて０．０１重量％〜２．５重量％、または０．１０重量％〜１．５重量％の量で存在する。ある特定の実施形態において、１つ以上のＵＶＡは、０．１０重量％〜０．９５重量％の量で存在する。例えば、１つ以上のＵＶＡは、ポリオレフィン基材の重量に基づいて約０．２０重量％、約０．２５重量％、約０．３０重量％、約０．３５重量％、約０．４０重量％、約０．４５重量％、約０．５０重量％、約０．５５重量％、約０．６０重量％、約０．６５重量％、約０．７０重量％、約０．７５重量％、約０．８０重量％、約０．８５重量％、または０．９０重量％の量、ならびに前述の量の間の量で存在する。
【０１０６】
ある特定の実施形態において、１つ以上のヒンダードアミン光安定剤（ＨＡＬＳ）は、添加剤としてポリオレフィン基材に組み込まれてもよい。好適なＨＡＬＳは、例えば、米国特許第５，００４，７７０号、同第５，２０４，４７３号、同第５，０９６，９５０号、同第５，３００，５４４号、同第５，１１２，８９０号、同第５，１２４，３７８号、同第５，１４５，８９３号、同第５，２１６，１５６号、同第５，８４４，０２６号、同第５，９８０，７８３号、同第６，０４６，３０４号、同第６，１１７，９９５号、同第６，２７１，３７７号、同第６，２９７，２９９号、同第６，３９２，０４１号、同第６，３７６，５８４号、及び同第６，４７２，４５６号に開示されている。
【０１０７】
好適なＨＡＬＳには、例えば、１−シクロヘキシルオキシ−２，２，６，６−テトラメチル−４−オクタ−デシルアミノピペリジン、ビス（２，２，６，６−テトラメチルピペリジン−４−イル）セバケート、ビス（１−アセトキシ−２，２，６，６−テトラメチルピペリジン−４−イル）セバケート、ビス（１，２，２，６，６−ペンタメチルピペリジン−４−イル）セバケート、ビス（１−シクロヘキシル−オキシ−２，２，６，６−テトラメチルピペリジン−４−イル）セバケート、ビス（１−オクチルオキシ−２，２，６，６−テトラ−メチルピペリジン−４−イル）セバケート、ビス（１−アシル−２，２，６，６−テトラメチルピペリジン−４−イル）セバケート、ビス（１，２，２，６，６−ペンタメチル−４−ピペリジル）ｎ−ブチル−３，５−ジ−ｔｅｒｔ−ブチル−４−ヒドロキシベンジルマロネート、２，４−ビス［（１−シクロヘキシル−オキシ−２，２，６，６−テトラメチルピペリジン−４−イル）ブチルアミノ］−６−（２−ヒドロキシエチル−アミノ−ｓ−トリアジン、ビス（１−シクロヘキシルオキシ−２，２，６，６−テトラメチルピペリジン−４−イル）アジペート、２，４−ビス［（１−シクロヘキシルオキシ−２，２，６，６−ピペリジン−４−イル）ブチルアミノ］−６−クロロ−ｓ−トリアジン、１−（２−ヒドロキシ−２−メチルプロポキシ）−４−ヒドロキシ−２，２，６，６−テトラメチルピペリジン、１−（２−ヒドロキシ−２−メチルプロポキシ）−４−オキソ−２，２，６，６−テトラメチルピペリジン、１−（２−ヒドロキシ−２−メチルプロポキシ）−４−オクタデカノイルオキシ−２，２，６，６−テトラメチルピペリジン、ビス（１−（２−ヒドロキシ−２−メチルプロポキシ）−２，２，６，６−テトラメチル−ピペリジン−４−イル）セバケート、ビス（１−（２−ヒドロキシ−２−メチルプロポキシ）−２，２，６，６−テトラメチルピペリジン−４−イル）アジペート、２，４−ビス｛Ｎ−［１−（２−ヒドロキシ−２−メチル−プロポキシ）−２，２，６，６−テトラメチルピペリジン−４−イル］−Ｎ−ブチルアミノ｝−６−（２−ヒドロキシエチルアミノ）−ｓ−トリアジン、４−ベンゾイル−２，２，６，６−テトラメチルピペリジン、ジ−（１，２，２，６，６−ペンタメチルピペリジン−４−イル）ｐ−メトキシベンジリデンマロネート、２，２，６，６−テトラメチルピペリジン−４−イル  オクタデカノエート、ビス（１−オクチルオキシ−２，２，６，６−テトラメチルピペリジル）スクシナート、１，２，２，６，６−ペンタメチル−４−アミノピペリジン、２−ウンデシル−７，７，９，９−テトラメチル−１−オキサ−３，８−ジアザ−４−オキソ−スピロ［４，５］デカン、トリス（２，２，６，６−テトラメチル−４−ピペリジル）ニトリロトリアセテート、トリス（２−ヒドロキシ−３−（アミノ−（２，２，６，６−テトラメチルピペリジン−４−イル）プロピル）ニトリロトリアセテート、テトラキス−（２，２，６，６−テトラメチル−４−ピペリジル）−１，２，３，４−ブタン−テトラカルボキシレート、テトラキス（１，２，２，６，６−ペンタメチル−４−ピペリジル）−１，２，３，４−ブタン−テト���カルボキシレート、１，１′−（１，２−エタンジイル）−ビス−（３，３，５，５−テトラメチルピペラジノン）、３−ｎ−オクチル−７，７，９，９−テトラメチル−１，３，８−トリアザスピロ［４．５］デカン−２，４−ジオン、８−アセチル−３−ドデシル−７，７，９，９−テトラメチル−１，３，８−トリアザスピロ［４．５］デカン−２，４−ジオン、３−ドデシル−１−（２，２，６，６−テトラメチル−４−ピペリジル）ピロリジン−２，５−ジオン、３−ドデシル−１−（１，２，２，６，６−ペンタメチル−４−ピペリジル）ピロリジン−２，５−ジオン−Ｎ，Ｎ′−ビス−ホルミル−Ｎ，Ｎ′−ビス（２，２，６，６−テトラメチル−４−ピペリジル）ヘキサメチレンジアミン、２，４−ビス［（１−シクロヘキシルオキシ−２，２，６，６−ピペリジン−４−イル）ブチルアミノ］−６−クロロ−ｓ−トリアジンの、Ｎ，Ｎ′−ビス（３−アミノプロピル）エチレンジアミン）との反応生成物、１−（２−ヒドロキシエチル）−２，２，６，６−テトラメチル−４−ヒドロキシピペリジン及びコハク酸の縮合物、Ｎ，Ｎ′−ビス（２，２，６，６−テトラメチル−４−ピペリジル）−ヘキサメチレンジアミン及び４−ｔｅｒｔ−オクチルアミノ−２，６−ジクロロ−１，３，５−トリアジンの縮合物、Ｎ，Ｎ′−ビス（２，２，６，６−テトラメチル−４−ピペリジル）−ヘキサメチレンジアミン及び４−シクロヘキシルアミノ−２，６−ジクロロ−１，３，５−トリアジンの縮合物、Ｎ，Ｎ′−ビス−（２，２，６，６−テトラメチル−４−ピペリジル）ヘキサメチレンジアミン及び４−モルホリノ−２，６−ジクロロ−１，３，５−トリアジン（ＣＹＡＳＯＲＢ  ＵＶ−３３４６）、ＣＹＡＳＯＲＢ  ＵＶ−３５２９（ＣＹＡＳＯＲＢ  ＵＶ−３３４６のＮ−メチル化類似体）の縮合物、Ｎ，Ｎ′−ビス−（１，２，２，６，６−ペンタメチル−４−ピペリジル）ヘキサメチレンジアミン及び４−モルホリノ−２，６−ジクロロ−１，３，５−トリアジンの縮合物、２−クロロ−４，６−ビス（４−ｎ−ブチルアミノ−２，２，６，６−テトラメチルピペリジル）−１，３，５−トリアジン及び１，２−ビス（３−アミノプロピルアミノ）エタンの縮合物、２−クロロ−４，６−ジ−（４−ｎ−ブチルアミノ−１，２，２，６，６−ペンタメチルピペリジル）−１，３，５−トリアジン及び１，２−ビス−（３−アミノプロピルアミノ）エタンの縮合物、７，７，９，９−テトラメチル−２−シクロウンデシル−１−オキサ−３，８−ジアザ−４−オキソスピロ［４，５］デカン及びエピクロロヒドリンの反応生成物、ポリ［メチル−，（３−オキシ−（２，２，６，６−テトラメチルピペリジン−４−イル）プロピル）］シロキサン、マレイン酸無水物−Ｃ１８〜Ｃ２２−α−オレフィン−コポリマーの、２，２，６，６−テトラメチル−４−アミノピペリジンとの反応生成物、４，４′−ヘキサメチレンビス（アミノ−２，２，６，６−テトラメチルピペリジン）、及び２−クロロ−４，６−ビス（ジブチルアミノ）−ｓ−トリアジンで末端をキャップされた２，４−ジクロロ−６−［（２，２，６，６−テトラメチルピペリジン−４−イル）ブチルアミノ］−ｓ−トリアジンのオリゴマー縮合��、４，４′−ヘキサメチレンビス（アミノ−１，２，２，６，６−ペンタアメチルピペリジン）、及び２−クロロ−４，６−ビス（ジブチルアミノ）−ｓ−トリアジンで末端をキャップされた２，４−ジクロロ−６−［（１，２，２，６，６−ペンタアメチルピペリジン−４−イル）ブチルアミノ］−ｓ−トリアジンのオリゴマー縮合物、４，４′−ヘキサメチレンビス（アミノ−１−プロポキシ−２，２，６，６−テトラメチル−ピペリジン）、及び２−クロロ−４，６−ビス（ジブチルアミノ）−ｓ−トリアジンで末端をキャップされた２，４−ジクロロ−６−［（１−プロポキシ−２，２，６，６−テトラメチルピペリジン−４−イル）ブチルアミノ］−ｓ−トリアジンのオリゴマー縮合物、４，４′−ヘキサメチレンビス（アミノ−１−アシルオキシ−２，２，６，６−テトラメチルピペリジン）、及び２−クロロ−４，６−ビス（ジブチルアミノ）−ｓ−トリアジンで末端をキャップされた２，４−ジクロロ−６−［（１−アシルオキシ−２，２，６，６−テトラメチルピペリジン−４−イル）ブチルアミノ］−ｓ−トリアジンのオリゴマー縮合物、（２，２，６，６−テトラ−メチルピペリジン−４−イル）ブチルアミンを、１，２−ビス（３−アミノ−プロピルアミノ）エタンとシアヌル酸塩化物との反応の生成物と反応させることによって得られた反応生成物、ならびにそれらの二元及び三元組み合わせが含まれる。
【０１０８】
他の好適なＨＡＬＳには、例えば、前述のＨＡＬＳ化合物のうちのいずれかの立体障害ヒンダードＮ−Ｈ、Ｎ−メチル、Ｎ−メトキシ、Ｎ−プロポキシ、Ｎ−オクチルオキシ、Ｎ−シクロヘキシルオキシ、Ｎ−アシルオキシ、及びＮ−（２−ヒドロキシ−２−メチルプロポキシ）類似体が含まれる。例えば、Ｎ−ＨヒンダードアミンをＮ−メチルヒンダードアミンで置き換えることは、Ｎ−Ｈの代わりにＮ−メチル類似体を用いることになる。
【０１０９】
例証目的のために、前述のＨＡＬＳの構造のうちのいくつかが下に示される。
ビス（１−オクチルオキシ−２，２，６，６−テトラメチルピペリジン−４−イル）セバケート：
【化１９】
2018520255.tif 000020
ビス（１，２，２，６，６−ペンタメチル−４−ピペリジル）ｎ−ブチル−３，５−ジ−ｔｅｒｔ−ブチル−４−ヒドロキシベンジルマロネート：
【化２０】
2018520255.tif 000021
２，４−ビス［（１−シクロヘキシルオキシ−２，２，６，６−テトラメチルピペリジン−４−イル）ブチルアミノ］−６−（２−ヒドロキシエチル−アミノ−ｓ−トリアジン：
【化２１】
2018520255.tif 000022
１−（２−ヒドロキシ−２−メチルプロポキシ）−４−ヒドロキシ−２，２，６，６−テトラメチルピペリジン：
【化２２】
2018520255.tif 000023
ジ−（１，２，２，６，６−ペンタメチルピペリジン−４−イル）ｐ−メトキシベンジリデンマロネート：
【化２３】
2018520255.tif 000024
２−ウンデシル−７，７，９，９−テトラメチル−１−オキサ−３，８−ジアザ−４−オキソ−スピロ［４，５］デカン：
【化２４】
2018520255.tif 000025
トリス（２−ヒドロキシ−３−（アミノ−（２，２，６，６−テトラメチルピペリジン−４−イル）プロピル）ニトリロトリアセテート：
【化２５】
2018520255.tif 000026
テトラキス（２，２，６，６−テトラメチル−４−ピペリジル）−１，２，３，４−ブタン−テトラカルボキシレート：
【化２６】
2018520255.tif 000027
１，１′−（１，２−エタンジイル）−ビス（３，３，５，５−テトラメチルピペラジノン）：
【化２７】
2018520255.tif 000028
３−ｎ−オクチル−７，７，９，９−テトラメチル−１，３，８−トリアザスピロ［４．５］デカン−２，４−ジオン：
【化２８】
2018520255.tif 000029
３−ドデシル−１−（２，２，６，６−テトラメチル−４−ピペリジル）ピロリジン−２，５−ジオン：
【化２９】
2018520255.tif 000030
Ｎ，Ｎ′−ビス−ホルミル−Ｎ，Ｎ′−ビス（２，２，６，６−テトラメチル−４−ピペリジル）ヘキサメチレンジアミン：
【化３０】
2018520255.tif 000031
２，４−ビス［（１−シクロヘキシルオキシ−２，２，６，６−ピペリジン−４−イル）−ブチルアミノ］−６−クロロ−ｓ−トリアジンの、Ｎ，Ｎ′−ビス（３−アミノプロピル）エチレンジアミン）との反応生成物：
【化３１】
2018520255.tif 000032
１−（２−ヒドロキシエチル）−２，２，６，６−テトラメチル−４−ヒドロキシピペリジン及びコハク酸の縮合物：
【化３２】
2018520255.tif 000033
Ｎ，Ｎ′−ビス（２，２，６，６−テトラメチル−４−ピペリジル）−ヘキサメチレンジアミン及び４−ｔｅｒｔ−オクチルアミノ−２，６−ジクロロ−１，３，５−トリアジンの縮合物：
【化３３】
2018520255.tif 000034
Ｎ，Ｎ′−ビス−（２，２，６，６−テトラメチル−４−ピペリジル）ヘキサメチレンジアミン及び４−モルホリノ−２，６−ジクロロ−１，３，５−トリアジンの縮合物：
【化３４】
2018520255.tif 000035
２−クロロ−４，６−ジ−（４−ｎ−ブチルアミノ−１，２，２，６，６−ペンタメチルピペリジル）−１，３，５−トリアジン及び１，２−ビス−（３−アミノプロピルアミノ）エタンの縮合物：
【化３５】
2018520255.tif 000036
７，７，９，９−テトラメチル−２−シクロウンデシル−１−オキサ−３，８−ジアザ−４−オキソスピロ［４，５］デカン及びエピクロロヒドリンの反応生成物：
【化３６】
2018520255.tif 000037
ポリ［メチル−，（３−オキシ−（２，２，６，６−テトラメチルピペリジン−４−イル）プロピル）］シロキサン：
【化３７】
2018520255.tif 000038
マレイン酸無水物−Ｃ１８〜Ｃ２２−α−オレフィン−コポリマーの、２，２，６，６−テトラメチル−４−アミノピペリジンとの反応生成物：
【化３８】
2018520255.tif 000039
４，４′−ヘキサメチレンビス（アミノ−２，２，６，６−テトラメチルピペリジン）、及び２−クロロ−４，６−ビス（ジブチルアミノ）−ｓ−トリアジンで末端をキャップされた２，４−ジクロロ−６−［（２，２，６，６−テトラメチルピペリジン−４−イル）ブチルアミノ］−ｓ−トリアジンのオリゴマー縮合物：
【化３９】
2018520255.tif 000040
ならびに（２，２，６，６−テトラメチルピペリジン−４−イル）ブチルアミンを、１，２−ビス（３−アミノプロピルアミノ）エタンとシアヌル酸塩化物との反応の生成物と反応させることによって得られた反応生成物：
【化４０】
2018520255.tif 000041
【０１１０】
ある特定の実施形態において、ＨＡＬＳの二元組み合わせが、添加剤として含まれてもよい。そのような二元組み合わせには、例えば、ビス（２，２，６，６−テトラメチルピペリジン−４−イル）セバケート、及びＮ，Ｎ′−ビス（２，２，６，６−テトラメチル−４−ピペリジル）−ヘキサメチレンジアミンと４−ｔｅｒｔ−オクチルアミノ−２，６−ジクロロ−１，３，５−トリアジンとの縮合物；ビス（２，２，６，６−テトラメチルピペリジン−４−イル）セバケート、及び４，４′−ヘキサメチレンビス（アミノ−２，２，６，６−テトラメチルピペリジン）と２−クロロ−４，６−ビス（ジブチル−アミノ）−ｓ−トリアジンで末端をキャップされた２，４−ジクロロ−６−［（２，２，６，６−テトラメチルピペリジン−４−イル）ブチルアミノ］−ｓ−トリアジンとのオリゴマー化合物縮合物；２，２，６，６−テトラメチルピペリジン−４−イル  オクタデカノエート、及び４，４′−ヘキサメチレン−ビス（アミノ−２，２，６，６−テトラメチルピペリジン）と２−クロロ−４，６−ビス（ジブチルアミノ）−ｓ−トリアジンで末端をキャップされた２，４−ジクロロ−６−［（２，２，６，６−テトラメチルピペリジン−４−イル）ブチルアミノ］−ｓ−トリアジンとのオリゴマー縮合物；ならびにビス（２，２，６，６−テトラメチルピペリジン−４−イル）セバケート、及び２，２，６，６−テトラメチルピペリジン−４−イル  オクタデカノエートが含まれる。
【０１１１】
ある特定の実施形態において、ＨＡＬＳの三元組み合わせが、添加剤として含まれてもよい。そのような三元組み合わせには、例えば、ビス（２，２，６，６−テトラメチルピペリジン−４−イル）セバケート、１−（２−ヒドロキシ−２−メチルプロポキシ）−４−オクタデカノイルオキシ−２，２，６，６−テトラメチル−ピペリジン、及び４，４′−ヘキサメチレンビス（アミノ−２，２，６，６−テトラメチル−ピペリジン）と２−クロロ−４，６−ビス（ジブチルアミノ）−ｓ−トリアジンで末端をキャップされた２，４−ジクロロ−６−［（２，２，６，６−テトラメチルピペリジン−４−イル）ブチルアミノ］−ｓ−トリアジンとのオリゴマー縮合物；１−（２−ヒドロキシ−２−メチルプロポキシ）−４−オクタデカノイルオキシ−２，２，６，６−テトラメチルピペリジン、２，２，６，６−テトラメチルピペリジン−４−イル  オクタデカノエート、及び４，４′−ヘキサメチレンビス（アミノ−２，２，６，６−テトラ−メチルピペリジン）と２−クロロ−４，６−ビス（ジブチルアミノ）−ｓ−トリアジンで末端をキャップされた２，４−ジクロロ−６−［（２，２，６，６−テトラメチルピペリジン−４−イル）ブチルアミノ］−ｓ−トリアジンとのオリゴマー縮合物；ならびにビス（２，２，６，６−テトラメチルピペリジン−４−イル）セバケート、１−（２−ヒドロキシ−２−メチルプロポキシ）−４−オクタデカノイルオキシ−２，２，６，６−テトラメチルピペリジン、及びＮ，Ｎ′−ビス（２，２，６，６−テトラメチル−４−ピペリジル）−ヘキサメチレンジアミンと４−ｔｅｒｔ−オクチルアミノ−２，６−ジクロロ−１，３，５−トリアジンとの縮合物が含まれる。
【０１１２】
ある特定の実施形態において、本開示のＨＡＬＳ化合物のうちのいずれかの他の二元または三元組み合わせが用いられてもよい。
【０１１３】
ある特定の実施形態において、添加剤は、１つ以上のヒンダードアミン化合物を含んでもよい。ある特定の実施形態において、１つ以上のヒンダードアミン化合物には、Ｎ−アルコキシヒンダードアミン及び／またはＮ−アシルオキシヒンダードアミンが含まれる。好適なＮ−アルコキシヒンダードアミンは、例えば、米国特許出願第６１／６１１６２０号（ＷＯ２０１３／１３６２８５として公開）、米国特許第５，８４４，０２６号、同第６，２７１，３７７号、同第８，８９５，６４７号、同第８，７６５，８４８号、同第９，０４５，４８０号、及び米国公開第２０１４／３３６３１３号に開示されている。一実施形態において、ヒンダードアミン化合物は、以下の式を有し、
【化４１】
2018520255.tif 000042
式中、Ｘが、以下の式を有し、
【化４２】
2018520255.tif 000043
式中、Ｙが、−（ＣＨ２）６−であり、少なくとも１つのＲが、アルコキシを含み、ｎが、１〜５の整数である。ある特定の実施形態において、Ｒは、−ＯＣ３Ｈ７（例えば、Ｎ−アルコキシヒンダードアミン）である。そのような実施形態において、この化合物は、本明細書において「ＮＯＲ−１」と称される。
【０１１４】
ある特定の実施形態において、ヒンダードアミン化合物は、以下の式を有し、
【化４３】
2018520255.tif 000044
式中、Ｒが、以下の式を有し、
【化４４】
2018520255.tif 000045
本明細書において「ＮＯＲ−２」と称される。
【０１１５】
一実施形態において、ヒンダードアミン化合物は、以下の式を有し、
【化４５】
2018520255.tif 000046
本明細書において「ＮＯＲ−３」と称され、２０１４年７月２８日に出願された米国特許出願第１４／４４４，４９５号に記載されており、ここで参照によりその全体が本明細書に組み込まれる。
【０１１６】
ある特定の実施形態において、ヒンダードアミン化合物は、以下の式：
【化４６】
2018520255.tif 000047
を有する。
【０１１７】
ある特定の実施形態において、ヒンダードアミン化合物は、以下の式：
【化４７】
2018520255.tif 000048
を有する。
【０１１８】
ある特定の実施形態において、ヒンダードアミン化合物は、以下の式の１つ以上の部分を含有する化合物であり得る。
【化４８】
2018520255.tif 000049
【０１１９】
ある特定の実施形態において、ヒンダードアミン化合物は、以下の式を有し、
【化４９】
2018520255.tif 000050
式中、Ｒ１及びＲ２が独立して、Ｃ１〜Ｃ３０アルキルから選択される。ある特定の実施形態において、Ｒ１及びＲ２の両方が、−（Ｃ１１Ｈ２３）である。
【０１２０】
ある特定の実施形態において、ヒンダードアミン化合物は、以下の式：
【化５０】
2018520255.tif 000051
を有する。
【０１２１】
ある特定の実施形態において、ヒンダードアミン化合物は、以下の式を有するか、
【化５１】
2018520255.tif 000052
またはここで参照によりその全体が本明細書に組み込まれる、米国特許第９，０４５，４８０号に開示される他のＨＡＬＳ化合物の式を有し得る。
【０１２２】
ある特定の実施形態において、ヒンダードアミン化合物は、以下の式を有し、
【化５２】
2018520255.tif 000053
式中、（１００＊）は、蝋の骨格を示す。
【０１２３】
ある特定の実施形態において、１つ以上のヒンダードアミン化合物は、ポリオレフィン基材の重量に基づいて０．１重量％〜３重量％、０．１重量％〜１．９重量％、０．１５重量％〜１．５重量％、０．２重量％〜１重量％、または０．２〜０．５重量％の量で存在する。例えば、１つ以上のヒンダードアミン化合物は、ポリオレフィン基材の重量に基づいて約０．１０重量％、約０．２０重量％、約０．３０重量％、約０．４０重量％、約０．５０重量％、約０．６０重量％、約０．７０重量％、約０．８０重量％、約０．９０重量％、約１．００重量％、約１．１０重量％、約１．２０重量％、約１．３０重量％、または約１．４０重量％の量、ならびに前述の量の間の量で存在し得る。
【０１２４】
抗酸化剤
ある特定の実施形態において、１つ以上の抗酸化剤は、添加剤としてポリオレフィン基材に組み込まれてもよい。抗酸化剤には、ヒドロキシルアミン安定剤（例えば、ジアルキルヒドロキシルアミン安定剤）、有機リン安定剤及びヒンダードフェノール抗酸化剤の組み合わせ、有機リン安定剤及びジアルキルヒドロキシルアミン安定剤の組み合わせ、アミンオキシド安定剤、または有機リン安定剤及びアミンオキシド安定剤の組み合わせが含まれ得るが、これらに限定されない。
【０１２５】
有機リン安定剤には、例えば、ホスファイト及びホスホナイト安定剤、例えばトリフェニルホスファイト、ジフェニルアルキルホスファイト、フェニルジアルキルホスファイト、トリス（ノニルフェニル）ホスファイト、トリラウリルホスファイト、トリオクタデシルホスファイト、ジステアリルペンタエリスリトールジホスファイト、トリス（２，４−ジ−ｔｅｒｔ−ブチルフェニル）ホスファイト、ビス（２，４−ジ−α−クミルフェニル）ペンタエリスリトールジホスファイト、ジイソデシルペンタエリスリトールジホスファイト、ビス（２，４−ジ−ｔｅｒｔ−ブチルフェニル）ペンタエリスリトールジホスファイト、ビス（２，６−ジ−ｔｅｒｔ−ブチル−４−メチルフェニル）ペンタエリスリトールジホスファイト、ビスイソデシルオキシ−ペンタエリスリトールジホスファイト、ビス（２，４−ジ−ｔｅｒｔ−ブチル−６−メチルフェニル）ペンタエリスリトールジホスファイト、ビス−（２，４，６−トリ−ｔｅｒｔ−ブチルフェニル）ペンタエリスリトールジホスファイト、トリステアリルソルビトールトリホスファイト、テトラキス−（２，４−ジ−ｔｅｒｔ−ブチルフェニル）４，４′−ビフェニレン−ジホスホナイト、６−イソオクチルオキシ−２，４，８，１０−テトラ−ｔｅｒｔ−ブチル−ジベンゾ［ｄ，ｆ］［１，３，２］ジオキサホスフェピン、６−フルオロ−２，４，８，１０−テトラ−ｔｅｒｔ−ブチル−１２−メチル−ジベンゾ［ｄ，ｇ］［１，３，２］ジオキサホスホシン、ビス（２，４−ジ−ｔｅｒｔ−ブチル−６−メチルフェニル）メチルホスファイト、ビス（２，４−ジ−ｔｅｒｔ−ブチル−６−メチルフェニル）エチルホスファイト、２，２′，２″−ニトリロ［トリエチルトリス（３，３′５，５′−テトラ−ｔｅｒｔ−ブチル−１，１′−ビフェニル−２，２′−ジイル）ホスファイト］、ビス（２，４−ジ−ｔ−ブチルフェニル）オクチルホスファイト、ポリ（４，４′−｛２，２′−ジメチル−５，５′−ジ−ｔ−ブチルフェニルスルフィド−｝オクチルホスファイト）、ポリ（４，４′｛−イソプロピリデンジフェノール｝−オクチルホスファイト）、ポリ（４，４′−｛イソプロピリデンビス［２，６−ジブロモフェノール］｝−オクチルホスファイト）、及びポリ（４，４′−｛２，２′−ジメチル−５，５′−ジ−ｔ−ブチルフェニルスルフィド｝−ペンタエリスリトールジホスファイト）が含まれる。
【０１２６】
例証の目的のために、前述の抗酸化剤の構造のうちのいくつかが下に示される。
６−フルオロ−２，４，８，１０−テトラ−ｔｅｒｔ−ブチル−１２−メチル−ジベンゾ［ｄ，ｇ］［１，３，２］ジオキサホスホシン：
【化５３】
2018520255.tif 000054
２，２′，２″−ニトリロ［トリエチルトリス（３，３′５，５′−テトラ−ｔｅｒｔ−ブチル−１，１′−ビフェニル−２，２′−ジイル）ホスファイト］：
【化５４】
2018520255.tif 000055
６−イソオクチルオキシ−２，４，８，１０−テトラ−ｔｅｒｔ−ブチル−ジベンゾ［ｄ，ｆ］［１，３，２］ジオキサホスフェピン：
【化５５】
2018520255.tif 000056
ビス（２，４−ジ−ｔｅｒｔ−ブチルフェニル）ペンタエリスリトールジホスファイト：
【化５６】
2018520255.tif 000057
ビス（２，６−ジ−ｔｅｒｔ−ブチル−４−メチルフェニル）ペンタエリスリトールジホスファイト：
【化５７】
2018520255.tif 000058
ビス（２，４−ジ−ｔｅｒｔ−ブチル−６−メチルフェニル）エチルホスファイト：
【化５８】
2018520255.tif 000059
及びテトラキス−（２，４−ジ−ｔｅｒｔ−ブチルフェニル）４，４′−ビフェニレン−ジホスホナイト：
【化５９】
2018520255.tif 000060
【０１２７】
他の好適な抗酸化剤は、以下の構造：
【化６０】
2018520255.tif 000061
、
【化６１】
2018520255.tif 000062
、
【化６２】
2018520255.tif 000063
、及び
【化６３】
2018520255.tif 000064
を有し得る。
【０１２８】
ヒンダードフェノール抗酸化剤には、例えば、トリス（３，５−ジ−ｔｅｒｔ−ブチル−４−ヒドロキシベンジル）イソシアヌレート、１，３，５−トリス−（３，５−ジ−ｔｅｒｔ−ブチル−４−ヒドロキシベンジル）−２，４，６−トリメチルベンゼン、３，５−ジ−ｔｅｒｔ−ブチル−４−ヒドロキシベンジルホスホン酸のモノエチルエステルのカルシウム塩、ペンタエリスリトールテトラキス［３−（３，５−ジ−ｔｅｒｔ−ブチル−４−ヒドロキシフェニル）プロピオネート］、及びオクタデシル３−（３，５−ジ−ｔｅｒｔ−ブチル−４−ヒドロキシフェニル）プロピオネートが含まれる。ビタミンＥ及びビタミンＥアセテート抗酸化剤は、単独で、または他の抗酸化剤と組み合わせて使用することもできる。
【０１２９】
ある特定の実施形態において、有機リン安定剤及びヒンダードフェノール抗酸化剤の組み合わせは、トリス（２，４−ジ−ｔｅｒｔ−ブチルフェニル）ホスファイト及びペンタエリスリトールテトラキス［３−（３，５−ジ−ｔｅｒｔ−ブチル−４−ヒドロキシフェニル）プロピオネート］またはオクタデシル３−（３，５−ジ−ｔｅｒｔ−ブチル−４−ヒドロキシフェニル）プロピオネートである。
【０１３０】
ある特定の実施形態において、有機リン安定剤対ヒンダードフェノール抗酸化剤の重量：重量比は、約９：１〜約１：９、ならびに例えば、約８：１、約７：１、約６：１、約５：１、約４：１、約３：１、約２：１、約１：１、約１：２、約１：３、約１：４、約１：５、約１：６、約１：７、または約１：８の間の比であり、前述の比の間の比である。
【０１３１】
ヒドロキシルアミン安定剤には、例えばＮ，Ｎ−ジベンジルヒドロキシルアミン、Ｎ，Ｎ−ジエチルヒドロキシルアミン、Ｎ，Ｎ−ジオクチルヒドロキシルアミン、Ｎ，Ｎ−ジラウリルヒドロキシルアミン、Ｎ，Ｎ−ジドデシルヒドロキシルアミン、Ｎ，Ｎ−ジテトラデシルヒドロキシルアミン、Ｎ，Ｎ−ジヘキサデシルヒドロキシルアミン、Ｎ，Ｎ−ジオクタデシルヒドロキシルアミン、Ｎ−ヘキサデシル−Ｎ−テトラデシルヒドロキシルアミン、Ｎ−ヘキサデシル−Ｎ−ヘプタデシルヒドロキシルアミン、Ｎ−ヘキサデシル−Ｎ−オクタデシルヒドロキシルアミン、Ｎ−ヘプタデシル−Ｎ−オクタデシルヒドロキシルアミン、Ｎ−メチル−Ｎ−オクタデシルヒドロキシルアミン、及びＮ，Ｎ−ジ（Ｃ１６〜Ｃ１８アルキル）ヒドロキシルアミンが含まれ得る。
【０１３２】
アミンオキシド安定剤には、例えば、ジ（Ｃ１６〜Ｃ１８）アルキルメチルアミンオキシドが含まれ得、代表的な例は、Ｇｅｎｏｘ（登録商標）ＥＰ（Ａｄｄｉｖａｎｔ）である。
【０１３３】
ある特定の実施形態において、有機リン安定剤及びジアルキルヒドロキシルアミンの組み合わせは、トリス（２，４−ジ−ｔｅｒｔ−ブチルフェニル）ホスファイト及びＮ，Ｎ−ジ（Ｃ１６〜Ｃ１８アルキル）ヒドロキシルアミンである。ある特定の実施形態において、有機リン安定剤及びアミンオキシド安定剤の組み合わせは、トリス（２，４−ジ−ｔｅｒｔ−ブチルフェニル）ホスファイト及びジ（Ｃ１６〜Ｃ１８）アルキルメチルアミンオキシドである。これら２つの組み合わせの重量：重量比は、有機リン／ヒンダードフェノール抗酸化剤の組み合わせについて上記の通りであり得る。
【０１３４】
ある特定の実施形態において、添加剤は、１つ以上の抗酸化剤を含み得る。ある特定の実施形態において、１つ以上の抗酸化剤には、以下の式を有する第１の化合物、
【化６４】
2018520255.tif 000065
及び以下の式を有する第２の化合物
【化６５】
2018520255.tif 000066
の組み合わせを含む。
【０１３５】
いくつかの実施形態において、抗酸化剤は、ＩＲＧＡＮＯＸ（登録商標）Ｂ２２５として商業的に入手可能な第１及び第２の化合物のブレンドであってもよい。
【０１３６】
ある特定の実施形態において、１つ以上の抗酸化剤は、ポリオレフィン基材の重量に基づいて０．０１重量％〜１重量％、０．０１重量％〜０．７５重量％、０．０１重量％〜０．５重量％、０．０１重量％〜０．２重量％、または０．０５重量％〜１重量％の量で存在する。例えば、１つ以上の抗酸化剤は、ポリオレフィン基材の重量に基づいて約０．０１重量％、約０．０５重量％、約０．１０重量％、約０．１５重量％、約０．２０重量％、約０．３０重量％、約０．４０重量％、約０．５０重量％、約０．６０重量％、約０．７０重量％、約０．８０重量％、約０．９０重量％、または約１．００重量％の量、ならびに前述の量の間の量で存在し得る。
【０１３７】
着色剤
ある特定の実施形態において、１つ以上の着色剤が、添加剤としてポリオレフィン基材に組み込まれてもよい。着色剤には、例えば、有機顔料、無機顔料、及びそれらの混合物が含まれ得る。着色剤のいくつかの例は、Ｐｉｇｍｅｎｔ  Ｈａｎｄｂｏｏｋ，Ｔ．Ｃ．Ｐａｔｔｏｎ，Ｅｄ．，Ｗｉｌｅｙ−Ｉｎｔｅｒｓｃｉｅｎｃｅ，Ｎｅｗ  Ｙｏｒｋ，１９７３において見出され得る。ポリマー系生成物において使用される市販の顔料のうちのいくつか、例えば金属酸化物（例えば、二酸化チタン、酸化亜鉛、酸化アルミニウム、及び酸化鉄）金属水酸化物、金属フレーク（例えば、アルミニウムフレーク）、クロメート（例えば、クロム酸鉛）、硫化物、硫酸塩、炭酸塩、カーボンブラック、バナジン酸ビスマス、ケイ素、タルク、カオリン、フタロシアニンブルー及びグリーン、オルガノレッド、オルガノマルーン、真珠光沢顔料、及び他の有機顔料が、本組成物に用いられ得る。クロメートを含まない顔料、例えばメタホウ酸バリウム、リン酸亜鉛、三リン酸アルミニウム、及びそれらの混合物が使用されてもよい。
【０１３８】
他の好適な顔料には、Ｃ．Ｉ．顔料、例えばブラック１２、ブラック２６、ブラック２８、ブラック３０、ブルー１５．０、ブルー１５．３（Ｇ）、ブルー１５．３（Ｒ）、ブルー２８、ブルー３６、ブルー３８５、ブラウン２４、ブラウン２９、ブラウン３３、ブラウン１０Ｐ８５０、グリーン７（Ｙ）、グリーン７（Ｂ）、グリーン１７、グリーン２６、グリーン５０、バイオレット１４、バイオレット１６、イエロー１、イエロー３、イエロー１２、イエロー１３、イエロー１４、イエロー１７、イエロー６２、イエロー７４、イエロー８３、イエロー１６４、イエロー５３、レッド２、レッド３（Ｙ）、レッド３（Ｂ）、レッド４、レッド４８．１、レッド４８．２、レッド４８．３、レッド４８．４、レッド５２．２、レッド４９．１、レッド５３．１、レッド５７．１（Ｙ）、レッド５７．１（Ｂ）、レッド１１２、レッド１４６、レッド１７０（Ｆ５ＲＫ型）Ｂｌｕｅｒ、Ｃ．Ｉ．顔料オレンジ５、顔料オレンジ１３、顔料オレンジ３４、顔料オレンジ２３（Ｒ）、及び顔料オレンジ２３（Ｂ）が含まれる。好適な有機顔料には、顔料イエロー１５１、顔料イエロー１５４、顔料イエロー１５５、顔料レッド８、顔料レッド８、顔料レッド４９．２、顔料レッド８１、顔料レッド１６９、顔料ブルー１、顔料バイオレット１、顔料バイオレット３、顔料バイオレット２７、顔料レッド１２２、及び顔料バイオレット１９が含まれる。好適な無機顔料には、ミドルクローム（Ｍｉｄｄｌｅ  Ｃｈｒｏｍｅ）、レモンクローム（Ｌｅｍｏｎ  Ｃｈｒｏｍｅ）、プリムローズクローム（Ｐｒｉｍｒｏｓｅ  Ｃｈｒｏｍｅ）、スカーレットクローム（Ｓｃａｒｌｅｔ  Ｃｈｒｏｍｅ）、及びジンククロメート（Ｚｉｎｃ  Ｃｈｒｏｍａｔｅ）が含まれる。
【０１３９】
好適な有機顔料には、例えば、フタロシアニン、ペリレン、アゾ化合物、イソインドリン、キノフタロン、ジケトピロロピロール、キナクリドン、ジオキサジン、及びインダントロンが含まれ得る。ブルー顔料には、例えば、インダントロン及び銅フタロシアニンクラスの顔料、例えば顔料ブルー６０、顔料ブルー１５：１、顔料ブルー１５：３、顔料ブルー１５：４、及び顔料ブルー１５：６が含まれ得る。グリーン顔料には、例えば、銅フタロシアニンクラスの顔料、例えば顔料グリーン７及び顔料グリーン３６が含まれ得る。マゼンタ顔料には、例えば、キナクリドンクラスの顔料、例えば２，９−ジクロロキナクリドン及び顔料レッド２０２が含まれ得る。レッド顔料には、例えば、キナクリドンクラスの顔料、例えばジメチルキナクリドン及び顔料レッド１２２、ペリレンクラスの顔料、例えば顔料レッド１４９、顔料レッド１７８、及び顔料レッド１７９、またはジケトピロロピロールクラスの顔料、例えば顔料レッド２５４及び顔料レッド２６４が含まれ得る。イエロー顔料には、例えば、プテリジン、イソインドリノン、及びイソインドリンクラスの顔料、例えば顔料イエロー２１５、顔料イエロー１１０、及び顔料イエロー１３９が含まれ得る。オレンジ顔料には、例えば、イソインドリノンまたはジケトピロロピロールクラスの顔料、例えば顔料オレンジ６１、顔料オレンジ７１、及び顔料オレンジ７３が含まれ得る。バイオレット顔料には、例えば、キナクリドンクラスの顔料、例えば顔料バイオレット１９、またはジオキサジンクラスの顔料、例えば顔料バイオレット２３及び顔料バイオレット３７が含まれ得る。ある特定の実施形態において、顔料の混合物が用いられてもよい。
【０１４０】
ある特定の実施形態において、１つ以上の着色剤は、全体で、ポリオレフィン基材の重量に基づいて０．１０重量％〜３．０重量％、または０．２０重量％〜１．０重量％の量で存在し得る。例えば、１つ以上の着色剤は、ポリオレフィン基材の重量に基づいて約０．３重量％、約０．４重量％、約０．５重量％、約０．６重量％、約０．７重量％、約０．８重量％、または約０．９重量％の量、ならびに前述の量の間の量で存在し得る。
【０１４１】
充填剤
ある特定の実施形態において、１つ以上の充填剤が、添加剤としてポリオレフィン基材に組み込まれてもよい。充填剤は、ポリマーの機械的特性、例えば衝撃または引張強度を向上させるように作用する。充填剤の例には、アルミニウム三水和物（ＡＴＨ）等の金属水和物、マグネシウム二水酸化物（ＭＤＨ）等の金属酸化物、及び炭酸カルシウム等の炭酸金属が含まれるが、これらに限定されない。ポリオレフィン組成物に有用な他の充填剤には、木片、木粉、木フレーク、木繊維、おが屑、亜麻、ジュート、ヘンプ、ケナフ、もみ殻、マニラ麻、天然セルロース繊維、及びそれらの組み合わせが含まれる。充填剤は、無機であってもよく、アルカリまたはアルカリ土類金属カルボン酸塩、ステアリン酸塩、または硫酸塩が含まれる。例えば、無機充填剤には、タルク（ケイ酸マグネシウム）、マイカ、バーミキュライト、ジアトマイト、パーライト、炭酸カルシウム、ドロマイト、ケイ素、水酸化マグネシウム、ホウ酸亜鉛、ウォラストナイト、フライアッシュ、カオリン粘土、マイカ、または表面処理した二酸化チタンを含む様々な二酸化チタンが含まれる。充填剤には、有機または無機繊維、例えばガラス、ポリエステル、ポリアミド、またはポリアラミド繊維も含まれ得る。プラスチックに好適な充填剤は、Ｗｉｌｅｙ  Ｅｎｃｙｃｌｏｐｅｄｉａ  ｏｆ  Ｐｏｌｙｍｅｒ  Ｓｃｉｅｎｃｅ  ａｎｄ  Ｔｅｃｈｎｏｌｏｇｙ，Ｖｏｌｕｍｅ  １０，″Ｆｉｌｌｅｒｓ″，ｂｙ  Ａ．Ｈ．Ｔｓｏｕ，Ｗ．Ｈ．Ｗａｄｄｅｌｌに記載されている。
【０１４２】
充填剤の負荷レベルは、ある特定の実施形態において、ポリオレフィン基材の重量に基づいて５重量％〜７０重量％、５重量％〜６０重量％、１０重量％〜５０重量％、または１５重量％〜４０重量％の範囲であり得る。例えば、充填剤は、ポリオレフィン基材の重量に基づいて約２０重量％、約２５重量％、約３０重量％、または約３５重量％、ならびに前述の量の間の量で存在し得る。
【０１４３】
追加の添加剤
帯電防止剤、耐傷剤、スリップ剤、ポリマー処理補助剤等の更なる添加剤が、本明細書に開示される組成物中に存在してもよい（Ｐｌａｓｔｉｃ  Ａｄｄｉｔｉｖｅｓ  Ｈａｎｄｂｏｏｋ；６ｔｈ  Ｅｄｉｔｉｏｎを参照されたい）。更なる添加剤には、脂肪酸の金属塩、例えば、カルシウム、マグネシウム、亜鉛、またはステアリン酸アルミニウムが含まれる。更なる添加剤には、チオ相乗剤、例えばジラウリルチオジプロピオネートまたはジステアリルチオジプロピオネートも含まれる。更なる添加剤には、ベンゾフラノン安定剤、例えば米国特許第４，３２５，８６３号、同第４，３３８，２４４号、同第５，１７５，３１２号、同第５，２１６，０５２号、同第５，２５２，６４３号、同第５，３６９，１５９号、同第５，３５６，９６６号、同第５，３６７，００８号、同第５，４２８，１７７号、もしくは同第５，４２８，１６２、または米国特許出願公開第２０１２／０２３８６７７号に開示されるものも含まれ、３−［４−（２−アセトキシエトキシ）フェニル］−５，７−ジ−ｔｅｒｔ−ブチル−ベンゾフラン−２−オン、５，７−ジ−ｔｅｒｔ−ブチル−３−［４−（２−ステアロイルオキシエトキシ）フェニル］ベンゾフラン−２−オン、３，３′−ビス［５，７−ジ−ｔｅｒｔ−ブチル−３−（４−［２−ヒドロキシエトキシ］フェニル）ベンゾフラン−２−オン］、５，７−ジ−ｔｅｒｔ−ブチル−３−（４−エトキシフェニル）ベンゾフラン−２−オン、３−（４−アセトキシ−３，５−ジメチルフェニル）−５，７−ジ−ｔｅｒｔ−ブチル−ベンゾフラン−２−オン、３−（３，５−ジメチル−４−ピバロイル−オキシフェニル）−５，７−ジ−ｔｅｒｔ−ブチル−ベンゾフラン−２−オン、３−（３，４−ジメチルフェニル）−５，７−ジ−ｔｅｒｔ−ブチル−ベンゾフラン−２−オン、３−（２−アセチル−５−イソオクチルフェニル）−５−イソオクチルベンゾフラン−２−オン、及び３−（２，３−ジメチルフェニル）−５，７−ジ−ｔｅｒｔ−ブチル−ベンゾフラン−２−オンが含まれる。更なる添加剤には、相溶剤または分散助剤、例えば、マレイン酸無水物グラフト化ＰＥまたはＰＰ、ポリ（エチレン−コ−ビニルアセテート）、ポリ（エチレン−アクリル酸）等も含まれる。更なる添加剤は、ポリオレフィン基材の重量に基づいて０．１重量％〜１０重量％、または０．２重量％〜５重量％で存在し得る。
【０１４４】
ある特定の実施形態において、添加剤は、酸捕捉剤等の１つ以上の追加の添加剤を含んでもよい。ある特定の実施形態において、酸捕捉剤は、ステアリン酸亜鉛である。ある特定の実施形態において、酸捕捉剤は、全体で、ポリオレフィン基材の重量に基づいて０．１重量％〜３．０重量％、または０．１０重量％〜２．０重量％の量で存在し得る。
【０１４５】
ポリオレフィン物品の実施形態
添加剤が中に組み込まれたポリオレフィン基材を調製する際に、本明細書に記載される成分のうちのいずれか、及び任意の更なる添加剤が、予混合され得るか、または個々に添加され得る。ある特定の実施形態において、添加剤は、オレフィンの重合前、重合中、または重合後に添加され得る。ある特定の実施形態において、添加剤は、純粋形態で基材に組み込まれ得るか、または蝋、油、もしくはポリマーに封入され得る。ある特定の実施形態において、１つ以上の添加剤は、ポリオレフィン基材の上に噴霧され、他の添加剤またはそれらの溶融物を希釈するために使用することができ、それにより他の添加剤も併せてポリオレフィン基材の上に噴霧され得る。ある特定の実施形態において、重合触媒の不活化中に噴霧することによる添加が行われてもよい。ある特定の実施形態において、蒸気が不活化に使用されてもよい。
【０１４６】
ある特定の実施形態において、難燃性物品は、添加剤が中に組み込まれたポリオレフィン基材を含む。添加剤は、ホスホン酸エステル、リン酸エステル、またはそれらの組み合わせを含む、有機リン化合物を含む。添加剤は、Ｎ−アルコキシヒンダードアミン化合物を含む相乗剤を更に含む。一実施形態において、この物品は、建築材料等の製造物品である。建築材料は、例えば、シャッター、屋根板、建築装飾、下端、クラッディング、パレット、屋根カバー、床タイル、シート床、裏材、ドア、ドア枠、窓枠、及びサイディングパネルであり得る。
【０１４７】
ある特定の実施形態において、建築材料は、射出成形または押出プロセスに従って生成される。ある特定の実施形態において、本明細書に記載される物品は、モノリシックの単層物品に成形または押出され得る。ある特定の実施形態において、物品は、例えば、共押出、熱形成、または積層を介して形成された多層物品であってもよい。本多層物品は、本ポリオレフィン組成物からなる少なくとも１つの層を含有し得る。ある特定の実施形態において、多層物品の各層は、１ｍｍ未満の最小物理寸法を有する薄膜であり得る。ある特定の実施形態において、成形または押出は、溶融条件下で行われる。
【０１４８】
ある特定の実施形態において、物品の最小物理寸法は、１ｍｍより大きいか、１．５ｍｍより大きいか、または３ｍｍより大きい。「最小物理寸法」という用語は、固体物体または物体の固定部分の最小物理外側寸法を指す。例えば、固体の矩形物品は、１０ｍｍの長さ、５ｍｍの幅、及び３ｍｍの厚さを有し得る。そのような場合において、３ｍｍの厚さは、物品の最小物理寸法となる。
【０１４９】
本明細書において論じられる米国特許、米国公開特許出願、及び米国特許出願は、各々が参照により本明細書に組み込まれる。「ａ」及び「ａｎ」という冠詞は、本明細書において、物品の１つまたは複数（すなわち、少なくとも１つ）の文法的目的語を指すように使用される。例として、「Ｎ−アルコキシヒンダードアミン」は、１つのＮ−アルコキシヒンダードアミン、または複数のＮ−アルコキシヒンダードアミンを意味する。
【０１５０】
本明細書において列挙される任意の範囲が包含される。
【０１５１】
本明細書全体で使用される「実質的に」及び「約」という用語は、小さい変動を記載し、説明するために使用される。例えば、それらは、±５％以下、例えば±２％以下、±１％以下、±０．５％以下、±０．２％以下、±０．１％以下、または±０．０５％以下を指し得る。本明細書における全ての数値は、明示的に示されるか否かに関わらず、「約」という用語によって修飾される。「約」という用語によって修飾された値は、当然のことながら、特定の値を含む。例えば、「約５．０」は、５．０を含まなければならない。
【実施例】
【０１５２】
例証的実施例
以下の例証的実施例は、本明細書に記載される実施形態のうちのいくつかに従い、難燃性材料のための製剤を提供する。これらの実施例は、本発明の理解を助けるために記載されており、当然のことながら本明細書に記載され、請求される本発明を具体的に限定するものとして解釈されてはならない。当業者の理解の範囲内であろう未知のまたは今後開発される全ての相当物の代用を含む、本発明のそのような変型、及び製剤中の変更または実験設計におけるわずかな変更は、本明細書に組み込まれる本発明の範囲内に含まれると考えられるべきである。
【０１５３】
以下の実施例のうちの１つ以上において以下の材料を使用した。
【０１５４】
ポリプロピレンを、ポリオレフィン基材材料として選択した。いくつかの実施例において、使用されたポリプロピレンは、ＥｘｘｏｎＭｏｂｉｌデータシート当たり２．１６ｋｇ、２３０℃で０．８３ｇ／１０分の質量流量（ＭＦＲ）を有する高い溶融強度のＥｘｘｏｎＭｏｂｉｌ  ５３４１Ｅ１ポリプロピレン（「ＥＭ５３４１」）を含んでいた。他の実施例において、使用されたポリプロピレンは、２．１６ｋｇ、２３０℃で１２．０ｇ／１０分のＭＦＲを有するＬｙｏｎｄｅｌｌ  Ｂａｓｅｌｌ  Ｐｒｏ−ｆａｘ  ６３０１ポリプロピレンホモポリマー（「ＰＦ６３０１」）を含んでいた。
【０１５５】
ＡＦＬＡＭＭＩＴ（登録商標）ＰＣＯ  ９６０（「ＰＣＯ９６０」）を、難燃性化合物として使用した。
【０１５６】
使用された相乗剤は、上記のＮＯＲ−１、ＮＯＲ−２、及びＮＯＲ−３を含む。
【０１５７】
ＩＲＧＡＮＯＸ（登録商標）Ｂ  ２２５（ＩｒｇＢ）、０．０１％投与量を、抗酸化剤添加剤として使用した。
【０１５８】
ステアリン酸亜鉛（ＺｎＳｔ）、０．５％投与量（グレードＳＰ、ＦＡＣｌ  Ａｓｉａ  Ｐａｃｉｆｉｃ  ＰＴＥ  Ｌｔｄ．）を、酸捕捉剤添加剤として使用した。
【０１５９】
示されるパーセンテージは、別途指示されない限り、ポリオレフィン基材の総重量に関する所与の重量％である。
【０１６０】
別途指示されない限り、押出条件は以下の通りであった：２５ｍｍ  Ｃｏｐｅｒｉｏｎ、２ｋｇバッチ、スクリュー回転数１５０ｒｐｍ、送給速度１０ｌｂ／時、温度プロファイル−（スロート）２００、２２０、２２０、２２０、２２０、２２０、２２０℃；ダイ溶融温度−２１９〜２２９℃；溶融圧範囲３００〜４２０ｐｓｉ。
【０１６１】
別途指示されない限り、射出成形条件は以下の通りであった：０．１２５×５．０×０．５インチのＵＬ−９４難燃性棒（「１２５ミル棒」）を生成するためのＢＯＹモデル５０；温度プロファイル−ノズル４５０、４５０、４５０、４５０°Ｆ；成形温度６０°Ｆ。
【０１６２】
チップ衝撃試験を、ＡＳＴＭ  Ｄ−２５６に従って行った。
【０１６３】
ＵＬ−９４  Ｔｅｓｔ  ｆｏｒ  Ｆｌａｍｍａｂｉｌｉｔｙ  ｏｆ  Ｐｌａｓｔｉｃ  Ｍａｔｅｒｉａｌｓ  ｆｏｒ  Ｐａｒｔｓ  ｉｎ  Ｄｅｖｉｃｅｓ  ａｎｄ  Ａｐｐｌｉａｎｃｅｓ，５ｔｈ  Ｅｄ．，Ｏｃｔｏｂｅｒ，２９，１９９６に従って、異なる試料に評定が付与され、及び／または最終使用物品に関してＡＳＴＭ  Ｅ−８４に従って、許容可能に低い延焼指数が付与された。ＵＬ−９４  ＶＢ試験評定基準を表１に提供する。
【表１】
2018520255.tif 000067
【０１６４】
実施例１
ポリプロピレン（ＥＭ５３４１）、難燃剤、相乗剤、及び酸捕捉剤を併せて粉末としてブレンドし、溶融混合のために二軸押出機を通じて供給した。１２５ミル厚の棒を成形する後次射出を行い、ＵＬ−９４  ＶＢ評価及びチップ衝撃試験（ＡＳＴＭ  Ｄ−４５０８）のための試料を生成した。押出された顆粒の圧縮成形により、６０ミル厚の斑板を生成し、ＵＬ−９４垂直燃焼評価のために、６０ミル寸法の棒を後次にダイカットした。結果を表２に要約する。
【０１６５】
表２に示されるように、０．５重量％のＨＡＬＳ相乗剤が使用される場合、わずか５重量％のジホスホン酸エステル難燃剤を用いて、Ｖ−２の有益なＵＬ９４  ＶＢ評定が達成される。８重量％のジホスホン酸エステル難燃剤であっても、単独で使用される場合は、ＵＬ評定が達成されないことに留意されたい。更に、最も有益な最高性能Ｖ−０評定は一貫して、８重量％のジホスホン酸エステル難燃剤及び０．８重量％のＨＡＬＳ相乗剤（すなわち、１０：１の比）を用いて達成された。
【表２】
2018520255.tif 000068
【０１６６】
実施例２
実施例２の試料を、実施例１と同様の方法で調製した。表２に示される通り、２つの異なるＮＯＲ  ＨＡＬＳ相乗剤は、ジホスホン酸エステルがＵＬ−９４垂直燃焼評定を達成するのを可能にするのに有効である。ＮＯＲ−１は、より厚い１２５ミルＰＰ棒において相乗剤としてより有効であると思われ、このシリーズのＮＯＲ−２と比較して、ＵＬ９４  Ｖ−０評定に到達するために、より低い難燃剤の負荷（５〜６％）を可能にする。
【表３】
2018520255.tif 000069
【０１６７】
実施例３
実施例２からの製剤＃９のＵＬ−９４寸法棒を、Ａｔｌａｓ  Ｃｉ−６０００  Ｗｅａｔｈｅｒ−Ｏｍｅｔｅｒ（登録商標）において１週間にわたって加速光劣化に供し、屋外曝露をシミュレートした。試験設定には、ＡＳＴＭ  Ｇ１５５サイクル１が含まれ、光輝０．３５Ｗ／ｍ２、及びブラックパネル温度６３℃であった。加速風化後の棒の試験は、ＵＬ９４  Ｖ−０評定をもたらし、成形時の棒から変化しなかった。
【０１６８】
実施例４
ＰＣＯ９６０と代替ＨＡＬＳ相乗剤ＮＯＲ−３との組み合わせを、実施例１における手順と同様に評価した。ＥＭ５１４１Ｅ１  ＨＭＳポリプロピレンを、基材として使用した。有益なＶ−２評定は、６０及び１２５ミルのポリプロピレン棒において得られた。
【表４】
2018520255.tif 000070
【０１６９】
実施例５
異なるより高いメルトフローの標準ポリプロピレン（ＰＦ６３０１）を、難燃剤の組み合わせで評価した。表５に要約される通り、ＵＬ９４  Ｖ−２評定は、厚さ６０ミル及び１２５ミルの棒において達成され、衝撃強度を良好に保持した。ポリマー衝撃強度の良好な保持は、難燃性製剤において観察された。
【表５】
2018520255.tif 000071
【０１７０】
実施例６
ＰＰ中のＰＣＯ９６０と代替ＮＯＲ  ＨＡＬＳ相乗剤との組み合わせを評価した。ジホスホン酸エステルは、Ｍｅｉｌａｌｐｏ  ＣｈｉｎａからのＭ１０２Ｂであった。Ｍ１０２Ｂは、９５％の以下の式を有するジホスホン酸エステルと、
【化６６】
2018520255.tif 000072
５％の以下の式を有する単構造ホスホン酸エステル、
【化６７】
2018520255.tif 000073
の報告されたブレンドである。
４４．６グラムのＥＭ５３４１ポリプロピレンを、５．０ｇのＭ１０２Ｂ及び０．４ｇのＮＯＲ−１と混合し、次いでＢｒａｂｅｎｄｅｒ混合ボウルに入れた。Ｔｈｅｏｒｍｕｌａｔｉｏｎを、２３０℃、３０ｒｐｍでポリプロピレンが完全に溶融してブレンドを形成するまで混合した。材料を除去し、圧縮型に速やかに移し、１．５分の高圧及び２分の冷却後に、４×６×０．０６０インチのポリマー斑板が４５０°Ｆで生成された。ＵＬ９４棒を斑板からダイカットした。この製剤に関して、Ｖ−２のＵＬ９４評定が得られた。
【０１７１】
実施例７
高密度ポリエチレン（ＥｘｘｏｎＭｏｂｉｌ  ＨＤＰＥ  ６９０８）、相乗剤、難燃剤、酸捕捉剤（ＺｎＳｔ）、及び抗酸化剤（ＩｒｇＢ）を、粉末として併せてブレンドし、溶融混合、続いてペレット化のために二軸押出機を通じて供給した。１２５ミル厚の棒へのＨＤＰＥペレットの後次の射出成形（ＢＯＹ  ５０Ｍ、温度プロファイル（℃）：ノズル２３０、２３０、２３０、２３０）を行い、ＵＬ−９４  ＶＢ評価のための試料を生成した。別個に、押出顆粒の圧縮成形（Ｃｏｐｅｒｉｏｎ  ＺＳＫ２５ｍｍ  ＴＳＥ、温度プロファイル（℃）：スロート２００、２１０、２１０、２１０、２１０、２１０、２１０、ダイ）は、６０ミル厚の斑板を生成し、続いてＵＬ−９４  ＶＢ評価のために、６０ミル寸法の棒をダイカットした。
【０１７２】
１２５ミル厚の棒及び６０ミル厚の棒の両方に関して、１０％または１５％のＰＣＯ９６０難燃剤を１％のＮＯＲ−１相乗剤と共に用いて、有益なＵＬ−９４  ＶＢ評定Ｖ−０が達成された。比較して、不安定なポリエチレン６０または１２５ミル棒は、保持クランプまで燃焼し、残炎時間は、２５０秒を超え、ＵＬ−９４  ＶＢ燃焼性評定をもたらさなかった。
【０１７３】
実施例８
表６に示される重量パーセンテージに従って試料を調製した。１２５ミル棒を、押出（２５ｍｍ  Ｃｏｐｅｒｉｏｎ、２ｋｇバッチ、スクリュー回転数１５０ｒｐｍ、供給速度１０ｌｂ／時、温度プロファイル（℃）−２００、２１０、２１０、２１０、２１０、２１０、２１０、ダイ）、及び後次の射出成形（温度プロファイル（°Ｆ）−ノズル４５０、４５０、４５０、４５０Ｆ）によって生成した。全試料において、ＩｒｇＢを０．１％で使用し、ＺｎＳｔを０．５％で使用した。使用されたポリオレフィンは、ＥＭ５３４１であった。表６の結果は、８％のＰＣＯ９６０が使用される場合、０．４％という低いＮＯＲ−１相乗剤レベルでＶ−０評定が得られたことを示す。ＮＯＲ−１相乗剤レベルが０．８％であった場合、５％という低いＰＣＯ９６０レベルでＶ−０評定が得られた。
【表６】
2018520255.tif 000074
【０１７４】
「実施例」または「例示的」という語は、本明細書において、実施例、例、または例証となることを意味するように使用される。「実施例」または「例示的」として本明細書に記載されるいかなる態様または設計も、他の態様または設計よりも好ましいかまたは有益であると見なされるとは限らない。むしろ、「実施例」または「例示的」という語の使用は、概念を具体的な様式で提示することが意図される。本出願で使用される場合、「または」という用語は、排他的「論理和」ではなく包含的「論理和」を意味することが意図される。つまり、別途特定されない限り、または文脈から明らかでない限り、「ＸはＡまたはＢを含む」は、自然な包含的順列のうちのいずれかを意味することが意図される。つまり、ＸがＡを含む場合、ＸはＢを含む、またはＸがＡ及びＢの両方を含む場合、「ＸはＡまたはＢを含む」は、前述の例のうちのいずれかにおいて満たされる。加えて、本出願及び添付の特許請求の範囲で使用される「ａ」及び「ａｎ」という冠詞は、別途特定されない限り、または文脈から単数形を指すことが明らかでない限り、一般に「１つ以上」を意味すると解釈されるべきである。本明細書全体での「ある実施形態」または「一実施形態」に関する言及は、その実施形態に関して記載される特定の特徴、構造、または特性が、少なくとも１つの実施形態に含まれることを意味する。故に、本明細書全体の様々な箇所における「ある実施形態」または「一実施形態」という表現の出現は、必ずしも同じ実施形態について言及しているとは限らない。
【０１７５】
本開示の実施形態は、その特定の例示的な実施形態に関して説明された。上記の説明が、例証であることが意図され、制限的でないことが理解されるべきである。多くの他の実施形態が、上記の説明を読み、理解することで当業者に明らかとなるであろう。したがって、本開示の範囲は、添付の特許請求の範囲を参照し、そのような特許請求の範囲が権利を有する相当物の全範囲に沿って決定されるべきである。
【手続補正書】
【提出日】平成30年1月23日(2018.1.23)
【手続補正１】
【補正対象書類名】特許請求の範囲
【補正対象項目名】全文
【補正方法】変更
【補正の内容】
【特許請求の範囲】
【請求項１】
添加剤が中に組み込まれた、ポリプロピレン、ポリエチレン、及びそれらのコポリマーまたは混合物からなる群から選択されるポリオレフィン基材を含む難燃性物品であって、前記添加剤が、
ホスホン酸エステル、リン酸エステル、またはそれらの組み合わせを含む有機リン化合物と、
Ｎ−アルコキシヒンダードアミンを含む相乗剤と、
を含み、
前記物品が、３．１７５ｍｍの射出成形棒の形態である場合に、ＵＬ−９４垂直燃焼（ＶＢ）試験からの前記物品の性能評定がＶ−０である、前記難燃性物品。
【請求項２】
前記有機リン化合物が、以下の式を有するホスホン酸エステルであり、
【化１】
2018520255.tif 000112
式中、Ｒ１及びＲ２が独立して、アルキル、任意に置換されたアルキル、ベンジル、任意に置換されたベンジル、フェニル、任意に置換されたフェニル、ナフチル、及び任意に置換されたナフチルからなる群から選択される、請求項１に記載の物品。
【請求項３】
Ｒ１及びＲ２の両方がメチルである、請求項２に記載の物品。
【請求項４】
前記有機リン化合物が、以下の式を有するリン酸エステルまたはホスホン酸エステル：
【化２】
2018520255.tif 000113
【化３】
2018520255.tif 000114
【化４】
2018520255.tif 000115
【化５】
2018520255.tif 000116
【化６】
2018520255.tif 000117
【化７】
2018520255.tif 000118
または
【化８】
2018520255.tif 000119
（上記式中、ｎ’が１〜７の整数であり、ｎが１または２であり、Ｘが二価アリーレンである）
である、請求項１に記載の物品。
【請求項５】
前記Ｎ−アルコキシヒンダードアミンが、Ｎ−シクロヘキシルオキシヒンダードアミン、Ｎ−プロポキシヒンダードアミン、Ｎ−メトキシヒンダードアミン、またはＮ−（２−メチル−２−ヒドロキシプロポキシ）ヒンダードアミンである、請求項１に記載の物品。
【請求項６】
前記Ｎ−アルコキシヒンダードアミンが、以下の式：
【化９】
2018520255.tif 000120
（式中、Ｘが以下の式を有し、
【化１０】
2018520255.tif 000121
Ｙが−（ＣＨ２）６−であり、少なくとも１つのＲがアルコキシを含み、ｎが１〜５の整数である）
を有するか、または
前記Ｎ−アルコキシヒンダードアミンが、以下の式：
【化１１】
2018520255.tif 000122
若しくは
【化１２】
2018520255.tif 000123
（式中、Ｒが以下の式：
【化１３】
2018520255.tif 000124
を有する）
を有する、請求項１に記載の物品。
【請求項７】
各Ｒが、−ＯＣ３Ｈ７である、請求項６に記載の物品。
【請求項８】
前記添加剤が、
抗酸化剤と、
酸捕捉剤と、
を更に含む、請求項１に記載の物品。
【請求項９】
前記抗酸化剤が、
以下の式を有する第１の化合物と、
【化１４】
2018520255.tif 000125
以下の式を有する第２の化合物と、
【化１５】
2018520255.tif 000126
を含む、請求項８に記載の物品。
【請求項１０】
前記物品が、シャッター、屋根板、建築装飾、下端、屋根カバー、床タイル、シート床、裏材、ドア、ドア枠、窓枠、及びサイディングパネルからなる群から選択される建築材料である、請求項１に記載の物品。
【請求項１１】
添加剤が中に組み込まれたポリオレフィン基材を含む難燃性物品であって、前記添加剤が、
ホスホン酸エステル、リン酸エステル、またはそれらの組み合わせを含む有機リン化合物と、
Ｎ−アルコキシヒンダードアミンを含む相乗剤と、
を含み、
前記物品が、シャッター、屋根板、建築装飾、下端、屋根カバー、床タイル、シート床、裏材、ドア、ドア枠、窓枠、及びサイディングパネルからなる群から選択される建築材料であり；前記建築材料が、射出成形または押出プロセスに従って製造されたものであり；かつＵＬ−９４垂直燃焼（ＶＢ）試験からの前記物品の性能評定がＶ−０である；
前記難燃性物品。
【請求項１２】
難燃性組成物であって、
ポリオレフィンと、
抗酸化剤と、
酸捕捉剤と、
以下の式を有するホスホン酸エステルであって、
【化１６】
2018520255.tif 000127
式中、Ｒ１及びＲ２が独立して、アルキル、任意に置換されたアルキル、ベンジル、任意に置換されたベンジル、フェニル、任意に置換されたフェニル、ナフチル、及び任意に置換されたナフチルからなる群から選択され、１重量％〜１０重量％の量で存在する、ホスホン酸エステルと、
【化１７】
2018520255.tif 000128
または
【化１８】
2018520255.tif 000129
から選択される式を有する相乗剤であって、式中、ｎが、１〜１５の整数であり、０．１重量％〜３重量％の量で存在する、相乗剤と、
を含み、
前記ホスホン酸エステルが約３重量％〜約６重量％の量で存在し；前記相乗剤が約０．２重量％〜約１重量％の量で存在し；かつ前記組成物のＵＬ−９４垂直燃焼（ＶＢ）試験が、前記組成物を含む３．１７５ｍｍの射出成形棒に関してＶ−０である；
前記難燃性組成物。
【請求項１３】
前記ポリオレフィン基材が、ポリプロピレン、ポリエチレン、及びそれらのコポリマーまたは混合物からなる群から選択されるポリマーを含む、請求項１２に記載の組成物。
【請求項１４】
前記酸捕捉剤がステアリン酸亜鉛を含み、前記ステアリン酸亜鉛が約０．１重量％〜約２重量％の量で存在する、請求項１２に記載の組成物。
【請求項１５】
前記抗酸化剤が、
以下の式を有する第１の化合物と、
【化１９】
2018520255.tif 000130
以下の式を有する第２の化合物と、
【化２０】
2018520255.tif 000131
を含み、
前記第１及び第２の化合物が約０．０１重量％〜約０．２重量％の量で共に存在する、請求項１２に記載の組成物。
【国際調査報告】
2018520255.tif 000132
2018520255.tif 000133